(57)【特許請求の範囲】
【請求項１】
前面が開口され、背面が背板で覆われた箱形をなすと共に、電源装置を含む本体側電気部品を備えた外本体と、
前記外本体の前記開口内部に対して着脱自在に設けられたケース部材に、複数のリールを回転させて図柄を変動させる図柄変動表示装置と任意の画像を表示する画像表示体とを含むケース側電気部品を組み付けてなる遊技ユニットと、
前記外本体の前面に横開きの扉状に回動可能に取り付けられた扉形前面部材と、を備え、前記遊技ユニットに、遊技制御基板と、前記遊技制御基板から送信されたコマンドを受信すると、受信したコマンドに基づいて前記画像表示体や装飾発光体を制御する周辺制御基板とが配設され、前記遊技ユニットが前記ケース部材と共に前記外本体に着脱交換可能となされた回胴式遊技機であって、
前記本体側電気部品につながった本体側配線類と、前記ケース側電気部品につながった遊技ユニット側配線類とを中継する配線中継部材が前記外本体の前記背板に取り付けられ、
前記配線中継部材は、前記電源装置からの配線を含む前記本体側配線類を集合させた主中継用コネクタが設けられ、固定的に取り付けられた主中継基板と、前記本体側配線類とは別とされ、前記扉形前面部材に配設された扉側装飾発光体に関係する配線類を含んで集合させた周辺中継用コネクタが設けられ、遊動可能状態に取り付けられた周辺中継基板とを有し、
前記遊技ユニットは、前記遊技ユニット側配線類が前記遊技制御基板につながった主制御系配線類と前記周辺制御基板につながった周辺制御系配線類とに分割されると共に、前記主制御系配線類に取り付けられた主制御系配線類接続用コネクタと、前記周辺制御系配線類に取り付けられた周辺制御系配線類接続用コネクタとを一括支持するコネクタホルダーを備え、
前記遊技ユニットが前記外本体に着脱交換可能に結合された状態において、前記コネクタホルダーが前記配線中継部材に着脱可能に結合されることにより、前記コネクタホルダーの前記主制御系配線類接続用コネクタと前記主中継基板の主中継用コネクタとが接離可能に接続され、かつ前記コネクタホルダーの前記周辺制御系配線類接続用コネクタと前記周辺中継基板の周辺中継用コネクタとが接離可能に接続されており、
前記遊技ユニットと前記外本体との結合時に、前記コネクタホルダーの前記周縁制御系配線類接続用コネクタと前記周辺中継基板の前記周辺中継用コネクタとの接続より、前記コネクタホルダーの前記主制御系配線類接続用コネクタと前記主中継基板の前記主中継用コネクタとの接続の方が先に結合する
ことを特徴とする回胴式遊技機。
【請求項２】
前記扉形前面部材に配設された前記扉側装飾発光体の点灯駆動を行う扉装飾駆動基板が前記周辺制御基板とは別体とされて前記扉形前面部材に配設され、
前記周辺制御基板は、シリアル出力ポート及びパラレル入出力ポートが内蔵されたマイクロプロセッサを有し、
前記扉装飾駆動基板は、シリアルデータに基づいて前記扉側装飾発光体に駆動信号を出力する駆動回路を有し、
前記周辺制御基板による前記扉側装飾発光体の制御は、前記周辺制御基板の前記マイクロプロセッサのシリアル出力ポートから点灯制御用データをシリアルデータで出力し、前記点灯制御用データが、前記周辺制御系配線類接続用コネクタ及び前記周辺中継用コネクタを通じて前記周辺中継基板で中継され、前記扉装飾駆動基板の前記駆動回路へシリアル通信により送信されることを特徴とする請求項１に記載の回胴式遊技機。
【発明の詳細な説明】
【技術分野】
【０００１】
本発明は、前面が開口され、背面が背板で覆われた箱形をなすと共に、電源装置を含む本体側電気部品を備えた外本体と、外本体の開口内部に対して着脱自在に設けられたケース部材に、複数のリールを回転させて図柄を変動させる図柄変動表示装置と任意の画像を表示する画像表示体とを含むケース側電気部品を組み付けてなる遊技ユニットと、外本体の前面に横開きの扉状に回動可能に取り付けられた扉形前面部材と、を備え、遊技ユニットに、遊技制御基板と、遊技制御基板から送信されたコマンドを受信すると、受信したコマンドに基づいて画像表示体や装飾発光体を制御する周辺制御基板とが配設され、遊技ユニットがケース部材と共に外本体に着脱交換可能となされた回胴式遊技機に関するものである。
【背景技術】
【０００２】
従来、回胴式遊技機を機種に依存する部分と、機種に依存しない部分とに各々ユニット化することにより分離し、機種変更に際して機種に依存しないユニットを残し、機種に依存するユニットを交換するようにした、所謂、分離型回胴式遊技機が提案されている（例えば、特許文献１）。
【０００３】
【特許文献１】特開２００４−１５４４４７号公報
【発明の開示】
【発明が解決しようとする課題】
【０００４】
上記の従来の分離型回胴式遊技機では、ケーブルコネクタの着脱のみで、面倒な配線（ケーブルの取り付け）作業は行わなくてよいものである。しかしながら、このものは、遊技内容を変更するための台交換では、第２交換ユニット（遊技ユニットに相当する部分）を筐体ユニット（外本体に相当する部分）から取り外すだけでなく、第２交換ユニットに取り付けたまま上扉（上扉と下扉の上下２枚構成となっている）も取り外してしまうものであり、上扉に配設されている表示装置や飾り部のランプ等の電子部品も一緒に交換されてしまうため、無駄が多い。
【０００５】
また、台交換を行う際には、第二ユニットケーブル（３個）の接続を本体側の第１ユニットコネクタから取り外し、上扉ケーブルの接続（１個）を本体側の第１ユニットコネクタから取り外さなければならないため、接続を取り外す箇所が多く、新たな第二交換ユニットを収納設置する際に接続に必要なコネクタの数が多く、作業が煩わしい。
【０００６】
そこで、本発明は、上述の従来技術の不具合を解消することを課題とするものであり、コネクタの数を減らし、機種交換に際して、機種に依存しない本体部分に対して機種に依存する部分としての遊技ユニットの分離／結合の作業を容易に行えるようにした回胴式遊技機を提供するものである。
【課題を解決するための手段】
【０００７】
請求項１に係る回胴式遊技機は、前面が開口され、背面が背板で覆われた箱形をなすと共に、電源装置を含む本体側電気部品を備えた外本体と、前記外本体の前記開口内部に対して着脱自在に設けられたケース部材に、複数のリールを回転させて図柄を変動させる図柄変動表示装置と任意の画像を表示する画像表示体とを含むケース側電気部品を組み付けてなる遊技ユニットと、前記外本体の前面に横開きの扉状に回動可能に取り付けられた扉形前面部材と、を備え、前記遊技ユニットに、遊技制御基板と、前記遊技制御基板から送信されたコマンドを受信すると、受信したコマンドに基づいて前記画像表示体や装飾発光体を制御する周辺制御基板とが配設され、前記遊技ユニットが前記ケース部材と共に前記外本体に着脱交換可能となされたものであって、上記課題を解決するために、前記本体側電気部品につながった本体側配線類と、前記ケース側電気部品につながった遊技ユニット側配線類とを中継する配線中継部材が前記外本体の前記背板に取り付けられ、前記配線中継部材は、前記電源装置からの配線を含む前記本体側配線類を集合させた主中継用コネクタが設けられた主中継基板と、前記本体側配線類とは別とされ、前記扉形前面部材に配設された扉側装飾発光体に関係する配線類を含んで集合させた周辺中継用コネクタが設けられた周辺中継基板とを有し、前記遊技ユニットは、前記遊技ユニット側配線類が前記遊技制御基板につながった主制御系配線類と前記周辺制御基板につながった周辺制御系配線類とに分割されると共に、前記主制御系配線類に取り付けられた主制御系配線類接続用コネクタと、前記周辺制御系配線類に取り付けられた周辺制御系配線類接続用コネクタとを一括支持するコネクタホルダーを備え、前記遊技ユニットが前記外本体に着脱交換可能に結合された状態において、前記コネクタホルダーが前記配線中継部材に着脱可能に結合されることにより、前記コネクタホルダーの前記主制御系配線類接続用コネクタと前記主中継基板の主中継用コネクタとが接離可能に接続され、かつ前記コネクタホルダーの前記周辺制御系配線類接続用コネクタと前記周辺中継基板の周辺中継用コネクタとが接離可能に接続されたことを特徴とする。
【０００８】
請求項２に係る回胴式遊技機は、請求項１に係る回胴式遊技機において、前記扉形前面部材に配設された前記扉側装飾発光体の点灯駆動を行う扉装飾駆動基板が前記周辺制御基板とは別体とされて前記扉形前面部材に配設され、前記周辺制御基板は、シリアル出力ポート及びパラレル入出力ポートが内蔵されたマイクロプロセッサを有し、前記扉装飾駆動基板は、シリアルデータに基づいて前記扉側装飾発光体に駆動信号を出力する駆動回路を有し、前記周辺制御基板による前記扉側装飾発光体の制御は、前記周辺制御基板の前記マイクロプロセッサのシリアル出力ポートから点灯制御用データをシリアルデータで出力し、前記点灯制御用データが、前記周辺制御系配線類接続用コネクタ及び前記周辺中継用コネクタを通じて前記周辺中継基板で中継され、前記扉装飾駆動基板の前記駆動回路へシリアル通信により送信されることを特徴とするものである。
【発明の効果】
【０００９】
請求項１に係る回胴式遊技機によれば、遊技ユニットを外本体に着脱交換するに際し、コネクタホルダーを配線中継部材に着脱可能に結合することにより、コネクタホルダーの主制御系配線類接続用コネクタと主中継基板の主中継用コネクタとが接離可能に接続され、かつコネクタホルダーの周辺制御系配線類接続用コネクタと周辺中継基板の周辺中継用コネクタとが接離可能に接続されるので、接続に供するコネクタの数が２つで済むから、接続に供するコネクタの数を減らすことができ、機種交換に際して、機種に依存しない本体部分に対して機種に依存する部分としての遊技ユニットの分離／結合の作業を容易に行うことができる。
【００１０】
請求項２に係る回胴式遊技機によれば、周辺制御基板のマイクロプロセッサのシリアル出力ポートから点灯制御用データをシリアルデータで出力し、点灯制御用データが、周辺制御系配線類接続用コネクタ及び周辺中継用コネクタを通じて周辺中継基板で中継され、扉装飾駆動基板の駆動回路へシリアル通信により送信される構成であるため、シリアル信号にして信号線を減らすことができ、遊技ユニットの分離／結合の作業が容易に行える。
【発明を実施するための最良の形態】
【００１１】
以下に本発明の実施の形態を遊技機たるスロットマシンを例に図面を参照しつつ説明する。なお、図１はスロットマシンの分解斜視図、図２は扉形前面部材を省略した状態を示すスロットマシンの分解斜視図、図３はスロットマシンの斜視図、図４は扉形前面部材を省略した状態を示すスロットマシンの縦断面図、図５は図４のＺ１部拡大図、図６はコネクタホルダーを移動させた状態を示す図４のＺ１部拡大図、図７は扉形前面部材を省略した状態を示すスロットマシンの横断面図、図８（ａ）は図７のＺ２部拡大図、図８（ｂ）はコネクタホルダーを移動させた状態を示す図７のＺ２部拡大図、図９は図８（ａ）の要部を示す拡大図、図１０は背板側を示すスロットマシン要部の横断面図、図１１はケース部材の分解斜視図、図１２はケース部材を後ろから見た斜視図、図１３（ａ），（ｂ）はコネクタホルダーの仮止め状態を説明するケース部材の要部の斜視図、図１４は配線中継部材の分解斜視図、図１５は配線中継部材のカバー体を省略した正面図、図１６−１，図１６−２はコネクタホルダーの分解斜視図、図１７はケース部材を止めるストッパーの斜視図、図１８は他の形態を示すストッパーの斜視図、図１９，図２０はケース部材のガイド構造を示す要部の断面図、図２１は把手の他の形態を示す図柄変動表示装置の部分斜視図、図２２はケース部材と外本体側のストッパーとの関係を示す要部の斜視図、図２３は配線窓と図柄変動表示装置のリールとの関係を示す要部の断面図、図２４はスロットマシン上部の縦断面図、図２５はメダル放出装置を省略してスロットマシンの下半部を示す斜視図、図２６は図２５の分解斜視図、図２７はスロットマシンの裏側から放熱口を見た背面図、図２８は電源装置を示すスロットマシンの一部断面部分正面図、図２９は電源装置を下から見上げた状態を示す斜視図、図３０は他の形態を示すもので外本体の側板と電源装置の要部断面図、図３１は他の形態を示す照明装置の概略断面図、図３２は透明板と発光ユニットを分解して示す扉形前面部材の斜視図、図３３は透明板を分解して示す扉形前面部材の斜視図、図３４は透明板を装着した扉形前面部材の図３２Ａ−Ａ線相当断面図、図３５はヒンジ金具の分解・組み立て斜視図、図３６はヒンジ金具の連鎖を示す線図、図３７は扉形前面部材を示す要部の横断平面図、図３８は開く途中の扉形前面部材を示す要部の横断平面図、図３９は扉形前面部材の上半部を示す裏側から見た斜視図、図４０は他のヒンジ金具の例を示す扉形前面部材の要部横断平面図、図４１は図４０の扉形前面部材の開く途中を示す要部の横断平面図である。
【００１２】
本発明のスロットマシン１は、前面が開口する箱形の外本体１００と、該外本体１００の前面に回転軸１００ａをもって横開きの扉状に回動可能に取り付けた扉形前面部材２００と、複数の図柄を駆動手段で変動させる図柄変動表示装置３００と、前記外本体１００に対し着脱自在であって前面に開口部４０１を有するケース部材４００と、任意の画像を表示する画像表示体５００と、を有する。
【００１３】
［外本体］
外本体１００は、図１〜図４に示したように底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。また、前記天板１０３には、遊技機設置島（図示せず）に設置した状態で該遊技機設置島の上桟６００（図２４想像線参照）と対向する領域内に複数（実施形態では４個）の貫通孔１３２，１３２…が穿設されている。
【００１４】
［外本体−仕切板］
外本体１００内には高さのほぼ中央に棚板状の仕切板１０５が設けられている。該仕切板１０５は金属製であって、図１，図２に示したように中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口１０９が形成されている。
【００１５】
［外本体−仕切板−下スペース］
外本体１００内の前記仕切板１０５より下のスペースには、遊技媒体たるメダルを前記扉形前面部材２００の前面下部にあるメダル用受皿２０１に放出するメダル払出装置１１０と、メダル払出装置１１０からオーバーフローするメダルを貯めるメダル用補助収納箱１１１と、電源装置１１２等が設けられている。
【００１６】
［外本体−仕切板−下スペース−メダル払出装置］
前記メダル払出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが前記駆動手段の作動により放出口１１０ｃに向けて１枚ずつ送り出される。また、ホッパ１１０ｂには溢れたメダルを排出させるオーバーフロー樋１１０ｄが設けてあり、そのオーバーフロー樋１１０ｄの突端下方に前記したメダル用補助収納箱１１１が臨む。なお、メダル払出装置１１０のメダル放出機構は、現在公知のどのようなものを採用してもよく、よって詳細な説明を省略する。
【００１７】
［外本体−仕切板−下スペース−電源装置］
前記電源装置１１２は、図２５〜図２９に示したように、外本体１００の底板１０１と、正面向かって左側の側板１０２と、背板１０４の三部材が直交する内側コーナー部分に取り付けられている。電源装置１１２は、前記メダル払出装置１１０等の電気部品に電気を供給するためのものであって発熱しやすい部品であり、従って外本体１００の背板１０４には電源装置１１２の取付部位に放熱口１０４ａが開設されている。
【００１８】
電源装置１１２の装置ケース１１２ａは、透明な合成樹脂で形成されている。こうすることにより装置ケース１１２ａの内部が見えるから、電源装置１１２の電源基板１１２ｓ（図２９参照）等に対する不正工作の発見が容易になる。
装置ケース１１２ａは、上面をカバーする上面板１１２ｂと、外本体１００の背板１０４に対向する後面板１１２ｃと、該後面板１１２ｃの反対側をカバーする正面板１１２ｄと、スロットマシン１の内部に向かう側をカバーする側面板１１２ｅと、上面板１１２ｂと側面板１１２ｅの境界部分を面取り形態にカバーする斜面板１１２ｆと、底部をカバーする底面板１１２ｒ（図２９参照）で形成されている。一方、装置ケース１１２ａの、外本体１００の側板１０２に対向する側の面はカバーされておらず開放状態にあるが、この開放面は外本体１００に取り付けた状態で外本体１００の側板１０２によって塞がれる。
なお、外本体１００の側板１０２には図２５，図２６に示したように凸面部１０２ａを設けて段状のガード部１０２ｂを形成し、該ガード部１０２ｂの下に装置ケース１１２ａの上面板１１２ｂの一側を潜り込ませる仕様になっている。これにより装置ケース１１２ａの一面をカバーしなくてもガード部１０２ｂによって装置ケース１１２ａと側板１０２の継ぎ目が塞がれるから異物の差込みが行えない。図３０は前記ガード部１０２ｂを溝状にした他の実施形態を示すものであり、この例では装置ケース１１２ａの上面板１１２ｂの縁を側板１０２側に若干突出させてその先をガード部１０２ｂの溝に嵌め込むようになっている。
このように電源装置１１２の装置ケース１１２ａにおいて、外本体１００の側板１０２に当接する側の面をカバー無しの開放構造にして使用時に前記側板１０２で塞がるようにした場合は、装置ケース１１２ａ内への電源基板１１２ｓ等の組み込みが開放面を使って行い易く、また、装置ケース１１２ａに電源基板１１２ｓ等を組み込んだ後の開放面へのカバー付けが不要であるから作業性が向上する。
【００１９】
前記装置ケース１１２ａの上面板１１２ｂ、側面板１１２ｅ、斜面板１１２ｆ、後面板１１２ｃ、底面板１１２ｒには多数の通気孔１１２ｇ，１１２ｇ…が形成されていて内部に熱がこもらないようになっている。装置ケース１１２ａは、底部に設けた脚部１１２ｈ，１１２ｈ…によって高床式に持ち上げられており、装置ケース１１２ａの底面板１１２ｒと外本体１００の底板１０１の間に通気空間１１２ｉが形成されている。従って、通気空間１１２ｉから底面板１１２ｒの通気孔１１２ｇ，１１２ｇ…を通って低層の比較的冷たい空気が装置ケース１１２ａ内に導入できる。実施形態の通気空間１１２ｉは、外本体１００の前記放熱口１０４ａに連通するようになっているため、機裏の冷たい空気を通気空間１１２ｉに導入することができる。なお、装置ケース１１２ａの後面板１１２ｃと底面板１１２ｒの境界部に前記通気空間１１２ｉを嵩上げする逆Ｌ字形の段部１１２ｊ（図２９参照）を形成すれば、脚部１１２ｈの高さと放熱口１０４ａの高さにズレがあっても通気空間１１２ｉを放熱口１０４ａに連通させることができる。
【００２０】
［外本体−仕切板−下スペース−電源装置−固定］
電源装置１１２は、装置ケース１１２ａの正面板１１２ｄの一側辺に対して直角である取付片１１２ｋと、装置ケース１１２ａの後面板１１２ｃから外本体１００の背板１０４に向けて突設した突部１１２ｍと、外本体１００の背板１０４に開設した放熱口１０４ａと、の組合せにより外本体１００に固定される。
【００２１】
すなわち、放熱口１０４ａの輪郭は装置ケース１１２ａの後面板１１２ｃの輪郭より小さく形成されており、従って電源装置１１２は外本体１００の背板１０４に当たって放熱口１０４ａを通らない。また、装置ケース１１２ａの後面板１１２ｃに突設した突部１１２ｍは、前記放熱口１０４ａに内接する位置にあり、電源装置１１２の浮き上がり動作に抗すべく放熱口１０４ａの上辺に内接する水平な突片１１２ｍ−１と、電源装置１１２の横転動作に抗すべく放熱口１０４ａの縦辺に内接する垂直な突片１１２ｍ−２で構成される。従って、電源装置１１２を外本体１００の側板１０２の内面に沿わせて押し込み、放熱口１０４ａに突部１１２ｍを差し込むだけで、装置ケース１１２ａの後面（奥側）の上方向（浮き上がり）と図２５において右方向（横転）への固定が完了する。もちろん電源装置１１２は、下方向に対しては外本体１００の底板１０１によって、また、図２５において左方向に対しては外本体１００の側板１０２によってその動きが規制されるため、放熱口１０４ａに突部１１２ｍを嵌め込むだけの単純な操作で、手前に引っ張る方向以外について電源装置１１２の動きが完全に規制できる。
一方、正面板１１２ｄに突設した取付片１１２ｋにはビス用の透孔１１２ｐが複数穿設されており、該透孔１１２ｐの少なくとも１個に木ねじ１１２ｑを通して外本体１００の側板１０２に固定する。これにより手前に引っ張る方向についても電源装置１１２の動きが規制されるため、１本の木ねじ１１２ｑで外本体１００への電源装置１１２の確実な固定が可能である。
【００２２】
［外本体−仕切板−下スペース−電源装置−電源コード］
電源装置１１２には外部から電気の供給を受けるための電源コード（図示せず）が接続されている。そして、従来は前記放熱口１０４ａの横に膨出部を設けてそこから前記電源コードを引き出すようにしていたが、この位置では電源コードを束ねても地面にすれる危険性が高い。スロットマシン１は、製造途中で電源を投入する場合があり、そのときに備えて外本体１００の外に電源コードを出しておかなければならないから、製造ライン上での移動の際やライン間での移動の際に電源コードが地面にすれたりスロットマシン１の底板１０１の下に入って挟まるおそれがある。
これに対し実施形態の放熱口１０４ａは、その上辺から上に向けてコード引出口１０４ｂを拡張し、そこから電源コードを引き出すようにしている。これにより束ねた電源コードを宙づり状態にぶら下げるに十分な高さが確保できる。よってスロットマシン１を製造する工程で誤って電源コードを傷めてしまうトラブルが激減する。
【００２３】
以上のように本発明のスロットマシン１は、電源装置１１２を外本体１００の内側コーナー部分にセットして１本の木ねじ１１２ｑをねじ込むだけで取り付けが完了するため、従来に比べて電源装置１１２の取付作業の大幅な省力化が可能である。また、本発明では、１つの面に対してネジ止めすれば固定が完了するので、特に、固定する部位を電源装置１１２の前方（手前）に持ってきた場合は視認しやすく、確実に固定できる。ちなみに、従来は電源装置１１２の複数の面或は部材に対してネジ止めする必要があり、特に、背板１０４に固定するネジは視認しにくいため忘れる可能性があった。
また、放熱口１０４ａは、電源装置１１２の冷却手段として必要なものであるから、この放熱口１０４ａを電源装置１１２の固定に利用しても余分な工程やコストは殆ど発生しない。却って、固定のために放熱口１０４ａの位置と電源装置１１２の位置を一致させることになるから冷却効率が向上する。加えて、装置ケース１１２ａを実施形態のごとく合成樹脂製にした場合には、取付用の突部１１２ｍも一体成形できるため殆どコストが掛からない。よって電源装置１１２の取り付けに要するトータルのコストも従来に比べて削減できる。
さらにまた、装置ケース１１２ａを合成樹脂製にした場合には、電源装置１１２の発熱対策として有用な装置ケース１１２ａの脚部１１２ｈや段部１１２ｊも殆どコストを掛けずに実施できるメリットがある。
【００２４】
［外本体−仕切板−上スペース］
一方、外本体１００内の仕切板１０５より上のスペースには前記ケース部材４００が納められ、また、外本体１００の背板１０４の内面には後述する配線手段の中核となる配線中継部材１１３が取り付けられ（図１，図２参照）、さらに背板１０４には配線中継部材１１３より上方に放熱用の通気口１３３が形成されている。
【００２５】
［扉形前面部材］
図３に扉形前面部材２００の表側が、また、図１に扉形前面部材２００の裏側が示されている。扉形前面部材２００は、表側の下方にメダル用受皿２０１を有し、また、表側のほぼ中央に操作部２０２が設けられている。この操作部２０２には、メダル投入用の投入口２０３と、後述する主制御基板４０９（請求項１に記載された遊技制御基板に相当する）のメモリーにデータとして蓄えられているメダルから１枚のみの投入（引き落とし）を指示する１ベットボタン２０５と、同じく１回のゲームで使用可能な最高枚数（例えば３枚）の投入を指示するＭＡＸベットボタン２０６と、後述するメダルセレクタ２０７の中に詰まったメダルをメダル用受皿２０１に戻すためのメダル返却ボタン２０８と、主制御基板４０９のメモリーにデータとして蓄えられているメダルの貯留解除命令（精算による放出命令）を入力するための貯留メダル精算ボタン２０９と、前記図柄変動表示装置３００を作動させる始動レバー２１０と、図柄変動表示装置３００の各リール３０１ａ，３０１ｂ，３０１ｃを停止させる３個のリール停止ボタン２１１ａ，２１１ｂ，２１１ｃ等が設けられている。もちろんここに示した操作部２０２の構成は１つの例示であり、これらに限定されるものではない。
【００２６】
また、前記投入口２０３の裏側にはメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル払出装置１１０のホッパ１１０ｂ内に臨むようになっており、投入口２０３からメダルセレクタ２０７を通ってメダル樋２１２に流れたメダルはホッパ１１０ｂに行き着く。
一方、前記返却樋２１３は表側のメダル用受皿２０１に繋がっており、投入口２０３からメダルセレクタ２０７を通って返却樋２１３に流れたメダルはメダル用受皿２０１に戻る。
【００２７】
［扉形前面部材−透視窓］
扉形前面部材２００は、外本体１００の前面全体をカバーする大きさであって、その上半部は、図３２，図３３に示したように、透明板２１４ａで覆ったゲーム用の透視窓２１４になっている。実施形態の透視窓２１４並びに透明板２１４ａは、前記画像表示体５００と図柄変動表示装置３００が上下に並んで見えるよう通常より大きくなっており、扉形前面部材２００と一体の額フレーム２１６によって画像表示体５００と図柄変動表示装置３００の領域が視覚上、上下に区画されている。このように一枚の透明板２１４ａを、画像表示体５００と図柄変動表示装置３００の双方をカバーする大きさに設定しておけば、画像表示体５００と図柄変動表示装置３００の配置が上下入れ替わっても、そのまま使用することができる。
【００２８】
［扉形前面部材−透視窓−透明板］
透明板２１４ａは、透明な合成樹脂（例えば耐衝撃性、耐擦傷性、光学特性に優れたゴム入りのメタクリル樹脂、実施形態では三菱レイヨン株式会社製「アクリペット（登録商標）ＩＲ  Ｄ３０」を使用）をほぼ逆さ台形にした上広がりの形態であって、底辺を除く三辺（左右側辺と上辺）の周縁に、遊技者と向かい合う側を前面としてその前面側に膨出する縁部材２１４ｂ，２１４ｂ，２１４ｂを、樹脂成型用型枠を用いての樹脂成型時に一体成型してなる。このように平らな板状の透明板２１４ａの周縁に縁部材２１４ｂを一体に成型した場合には、縁部材２１４ｂが補強バーになって透明板２１４ａ全体の強度を高めるため、透明板２１４ａが上記のように画像表示体５００と図柄変動表示装置３００の双方をカバーする程度に大きくても撓みや歪みが生じにくい。
【００２９】
前記縁部材２１４ｂは、図３４に示したように、後面側に開口する殻構造（中実でなく、内部に空間がある殻のような構造であり、各部の肉厚は任意である。）になっており、その内部空間に発光ユニット２１７と、必要に応じて例えば表面に模様や文字を施した装飾部材（図示せず）が組み込まれる。
なお、図３３では、発光ユニット２１７が扉形前面部材２００に取り付けられているように描かれているが、実際の発光ユニット２１７は、図３４に示したように縁部材２１４ｂの中に嵌め込まれている。従って、透明板２１４ａと発光ユニット２１７は、一体の部品として取り扱われる。
縁部材２１４ｂの形状は図示したものに限定されず、発光ユニット２１７や装飾部材のデザインに合わせて任意に変更可能である。また、縁部材２１４ｂを設ける部位も実施形態のように透明板２１４ａの周縁の三辺に限定されず、最低限、何れかの一辺に設けるだけでもよい。
【００３０】
その他、図３２，図３３において符号２１８は、透明板２１４ａの上の左右コーナー部分に設けた固定部材であって、透明板２１４ａの裏側から透孔２１４ｃ（図３２拡大図参照）に通したビス（図示せず）により、縁部材２１４ｂと縁部材２１４ｂの間に嵌った図３３の状態で止められている。該固定部材２１８は、外見上コーナー飾りとしての役割を果たす一方、扉形前面部材２００と透明板２１４ａの夫々の上のコーナー部分に設けた通孔２００ａ，２１４ｄ（図３２拡大図参照）に対し扉形前面部材２００の裏側から通したビス（図示せず）に螺合し、もって透明板２１４ａを扉形前面部材２００に固定するナット的な役割を果たす。
【００３１】
また、図３２〜図３４において、符号２１７ａは発光ユニット２１７の発光体、２１７ｂは発光体２１７ａを支持する反射部材である。
左右に位置する発光ユニット２１７の反射部材２１７ｂは、図３４に示したように、棒状の発光体２１７ａの光をスロットマシン１の周囲に向けて多く反射するように角度が設定されている。なお、透明板２１４ａの縁部材２１４ｂの内部に発光ユニット２１７を組み込んだ形態は、発光体２１７ａをスロットマシン１の、より手前側に配置することができるから、あたかも岬の突端にある灯台のごとく、光を周囲に向けて放射させる場合に有利である。
また、上に位置する発光ユニット２１７の反射部材２１７ｂは、発光体２１７ａ（光源２１７ａ−１と導光板２１７ａ−２の組合せ）の光をスロットマシン１の上方に向けて多く反射するように設定されている。
【００３２】
以上の構成である発光ユニット２１７は、遊技中、特に大当たりが出た場合などに点灯して大当たりの発生を周囲にアピールする演出を行うことができる。このように周囲に対しアピール度の高い演出を行うことによって、大当りを得た遊技者に注目させることができ、多くの者の視線が遊技者に優越感を抱かせるから、遊技がさらに盛り上がる。また、大当たりが出ていることを周囲にアピールすることにより、その機種の人気が高まり、稼働率が向上することも期待される。
【００３３】
実施形態の透明板２１４ａは以上のような構成であって、扉形前面部材２００の裏側に設けた凹溝２１９（図３３拡大図参照）に対し、板状の底辺を扉形前面部材２００の前面から斜めに差し入れて建具式に嵌め込み、その状態で透明板２１４ａを直立させて扉形前面部材２００の前面に全ての縁部材２１４ｂ，２１４ｂ，２１４ｂを当接させ、さらに扉形前面部材２００の裏から通したビス６０３（図１参照）によって固定する。図３４は、このときの扉形前面部材２００の要部を切断したものであり、この図３４から明らかなように、もし仮に、遊技者が扉形前面部材２００と縁部材２１４ｂの境から異物を無理矢理差し込んだとしても、その異物の先が縁部材２１４ｂの内部を横断して透明板２１４ａの裏側に到達する余地は殆どない。従って、優れた防犯効果を発揮する。
【００３４】
［扉形前面部材−錠装置］
扉形前面部材２００の自由端側の一側には専用キー（図示せず）を使って開閉操作する錠装置２１５が設けてある。この錠装置２１５に専用キーを挿入して左回りに回すと、錠装置２１５の奥に設けた打止め解除／エラー解除スイッチ２１５ｃからの検出信号がリセット信号として後述する主制御基板４０９に入力されるようになっている。一方、右回りに回して扉形前面部材２００を外本体１００から開放させると、扉形前面部材２００の裏面に設けた扉開放検知スイッチ２２０からの開放信号が入力されるようになっている。
【００３５】
［図柄変動表示装置］
図柄変動表示装置３００はリール回転式表示装置であって、モータ等の駆動手段３０３で個別に回転可能な例えば３個のリール３０１ａ，３０１ｂ，３０１ｃと、該リール３０１ａ，３０１ｂ，３０１ｃを組込み・収容する装置ケース３０２とを有し、リール３０１ａ，３０１ｂ，３０１ｃの周面に描いた複数の図柄（図示せず）の組合せで遊技を行う周知のものである。
【００３６】
前記装置ケース３０２は、あたかも横倒しにした八角柱から正面（遊技者）に向かう３面を除いた変形六角柱形態であって、底部板３０４と、天部板３０５と、図１１において向かって右側の右側板３０６と、同じく左側の左側板３０７と、後面を覆う垂直な後部板３０８と、天部板３０５と後部板３０８の間に設けた上斜板３０９と、底部板３０４と後部板３０８の間に設けた下斜板３１０で囲った箱形であり、前記リール３０１ａ，３０１ｂ，３０１ｃの円弧の一部が装置ケース３０２の正面からはみ出す状態になっている。
【００３７】
また、装置ケース３０２の天部板３０５には指掛可能な使用状態と、天部板３０５に伏した不使用状態とに変化可能な把手３１１が設けられており、該把手３１１に指を掛けて持ち運ぶようになっている。
このように装置ケース３０２の天部板３０５に上記のごとく変化可能な把手３１１を設ける構成は、ケース部材４００の強度アップ策と密接に関連する。
すなわち、実施形態では後述するようにケース部材４００の開口部４０１に補強桟４０２を設け、もってケース部材４００の開口部４０１に画像表示体５００を片持ちさせるに十分な強度を付与しているが、そのような補強桟４０２は開口部４０１を横切るから装置ケース３０２のケース部材４００への出し入れに対し、明らかに障害となる。これに対し実施形態のように把手３１１を変化可能にして天部板３０５に伏させておけば、把手３１１の出っ張りがなくなるから、装置ケース３０２が補強桟４０２の下を難なく通過できるのである。従って、装置ケース３０２の天部板３０５に上記のように変化可能な把手３１１を設けてこそ、ケース部材４００の開口部４０１に該開口部４０１を横切る向きの補強桟４０２を設けることが可能になる。
ちなみに、従来の装置ケースは、天部板から把手が出っ張ていてそれが障害になるため、ケース部材の開口部に補強桟を設ける余地がない。
【００３８】
なお、実施形態の把手３１１は、立てた使用状態と伏した不使用状態とに揺動して変化させる構造としたが、把手３１１を使用状態と不使用状態とに変化させ得る構造は、実施形態に限定されない。例えば図２１に示したように、天部板３０５に２つのベルト通し３１４，３１４を切り起こし、該ベルト通し３１４，３１４に例えば合成樹脂や革製であって両端に抜け止め部３１５，３１５を設けてなる帯状の把手３１１を挿通し、図２１の伏した不使用状態から中央を引き上げて指掛可能な使用状態に変化させる構造にするなど、指掛可能な使用状態と、天板部３０５に伏した不使用状態とに変化可能であれば、どのような構造であってもよい。
また、実施形態の装置ケース３０２の底部板３０４には図４，図１１に示したようにフランジ状の下把手３１６が突設されており、該下把手３１６をつかんで装置ケース３０２を押し込み又は引っ張ることにより、ケース部材４００への出し入れが行い易くなっている。
【００３９】
［ケース部材］
ケース部材４００は、前記外本体１００の仕切板１０５から上のスペースにほぼ合致する大きさであって、底板４０３と、該底板４０３の左右両横に立設した側板４０４，４０４と、底板４０３の後縁に立設した後面板４０５と、該後面板４０５と前記側板４０４，４０４の上面を覆う天板４０６とからなり、前面に開口部４０１を有する箱形である。
【００４０】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。
そして、この補強桟４０２を境にそれより下が前記図柄変動表示装置３００の設置領域として、また、補強桟４０２より上の開口部４０１が前記画像表示体５００の設置領域として、さらにまた、画像表示体５００より後方のケース部材４００で囲われた領域が配線作業空間４０８として割り当てられ、その配線作業空間４０８の後面板４０５の内壁面に、主たる制御基板である主制御基板４０９が装着され、さらに主制御基板４０９以外の制御基板等（例えば、後述する周辺制御基板７５０）も配線作業空間４０８内に装着されている。
【００４１】
ケース部材４００の天板４０６には、図１に示したように天窓部４４３，４４３が形成されている。この天窓部４４３，４４３は、天板４０６の強度を保つための補強帯４４４を挟んで２つに分けられており、その夫々が前記外本体１００の貫通孔１３２，１３２…を通る軸線との交点を含む領域にあり、該貫通孔１３２，１３２…より十分に広く開口している。もっとも天窓部４４３の前側の周縁は前側に位置する貫通孔１３２の近くに寄せられている。そうすることにより天窓部４４３の周縁を基準として手探りで貫通孔１３２が見つけ出せるから、たとえ天窓部４４３の中を作業者が覗き込めなくとも貫通孔１３２の位置が素早く簡単に割り出せる。
【００４２】
ケース部材４００の後面板４０５の外面には図２，図５，図６，図１２に示したように複数のボス４１０，４１０が突設されており、該ボス４１０を外本体１００の背板１０４にプレ加工したボス孔１１４，１１４に嵌めて位置決めされる。なお、このボス４１０，４１０は、図２，図５に示したように後述する配線窓４１１近くに設けられており、一方、外本体１００側のボス孔１１４，１１４は前記配線中継部材１１３近くに設けられており、これによりケース部材４００の配線窓４１１と背板１０４の配線中継部材１１３の位置決めが正確になる。
【００４３】
一方、ケース部材４００の底板４０３の底面には、図２に示したように凹段部４１２が形成されており、該凹段部４１２が前記仕切板１０５の突段部１０６に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６の嵌め合いによってケース部材４００が仕切板１０５の奥に真っ直ぐに案内されるが、例えば図１９に示したように仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２０に示したように仕切板１０５に凸形態のレール部材１１６を敷設又は一体にプレス成形し、一方、ケース部材４００の前記車輪４１４の両端に鍔４１５，４１５を形成し、該車輪４１４の鍔４１５，４１５でレール部材１１６を挟ませるようにしてもよい。
【００４４】
また、ケース部材４００は、仕切板１０５上の所定の位置にセットした状態で、図１，図２，図１７，図２２に示した揺動レバー形態のストッパー１１７，１１７，１１７で止められている。このストッパー１１７は、図１，図２に示したように仕切板１０５の前端部と、天板１０３に垂設した２つの取付具１１８，１１８とに軸着されており、図１７実線のようにケース部材４００の一部に係合する作動姿勢と、図１７想像線のようにケース部材４００に係合しない非作動姿勢とを手動で切り替えてケース部材４００の仕切板１０５上における前方向の動きを規制する。
なお、ストッパー１１７を図１８に示したように鍵形にしてケース部材４００に設けた引掛部４１６に係合させるようにすれば、ケース部材４００の仕切板１０５上における上方向の動きも規制することができる。
また、天板１０３の取付具１１８に軸着したストッパー１１７は、図２２に示したようにケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【００４５】
また、ケース部材４００の後面板４０５には外本体１００の背板１０４側に貫通する長孔形態の配線窓４１１が開設されている。該配線窓４１１は、図４，図５，図２３に示したようにケース部材４００に設置した図柄変動表示装置３００の装置ケース３０２の上斜板３０９に対応し且つ前記主制御基板４０９の下側の位置にあり、上斜板３０９の上にある横長の空きスペース４１７（或は上斜板３０９と主制御基板４０９の間に形成される横長の三角スペース４１７と観念してもよい。）と背板１０４を結ぶ開口として機能する。
【００４６】
また、ケース部材４００には図５，図１２に示したように空きスペース４１７の高さのほぼ中間位置に棚板状の仮止め部材４１８（以下「仮止め棚」ともいう。）が設けられており、また、後面板４０５の外側であって配線窓４１１の両横にケース部材４００の左右側面に抜ける配線通路たる凹み４１９，４１９が形成されている。
【００４７】
なお、前記配線窓４１１の配置を、図柄変動表示装置３００のリール３０１ａ，３０１ｂ，３０１ｃを基準に特定するならば、配線窓４１１は、図２３に示したように図柄変動表示装置３００のリール３０１ａ，３０１ｂ，３０１ｃの回転中心を通る水平面ＨＬと、リール３０１ａ，３０１ｂ，３０１ｃの最高高さ位置を通る水平面ＨＨとの間の範囲を下限とする状態、つまりその範囲内に下辺を置く高さに配置したものである、と言い換えることもできる。
【００４８】
［画像表示体］
画像表示体５００は、例えば、少なくとも液晶ディスプレイ（他にもプラズマディスプレイや有機ＥＬディスプレイ等でもよい。）と、前記液晶ディスプレイの表示制御を行う周辺制御基板７５０（後述）等を備えて構成されており、ユニット化されている。画像表示体５００は、図１１においてケース部材４００の左側の側板４０４に設けた補強部材４０７にヒンジ金具４２０を取り付けて（取付位置は図１１斜線部参照）、該ヒンジ金具４２０により回動自在に支持されている。
【００４９】
［画像表示体−ヒンジ金具］
図３５は、ヒンジ金具４２０の分解・組み立て斜視図である。なお、ヒンジ金具４２０は、上下が対称な構造であるため、主として上部について説明する。
ヒンジ金具４２０は、前記ケース部材４００の補強部材４０７に取り付く固定部材４２０ａと、前記画像表示体５００の裏側（図３５の破線領域５００ｓ参照）に取り付く回動部材４２０ｂと、該回動部材４２０ｂと固定部材４２０ａを連結する短リンク４２０ｃ及び長リンク４２０ｄで構成される。
【００５０】
ヒンジ金具４２０の固定部材４２０ａは、棚板形態である横向きの固定片４２０ｅを有し、該固定片４２０ｅの上面に長リンク４２０ｄの一端をピンＰ１で、また、固定片４２０ｅの下面に短リンク４２０ｃの一端をピンＰ２で回動自在に軸着する。
一方、ヒンジ金具４２０の回動部材４２０ｂは、棚板形態である横向きの軸承片４２０ｆを有し、該軸承片４２０ｆの上面に長リンク４２０ｄの一端をピンＰ３で、また、軸承片４２０ｆの下面に短リンク４２０ｃの一端をピンＰ４で回動自在に軸着する。
こうして固定片４２０ｅと軸承片４２０ｆと長リンク４２０ｄと短リンク４２０ｃ及びピンＰ１〜Ｐ４は、図３６の線図に示したように四節回転連鎖を構成し、その連鎖の中でも特に、最短リンクである軸承片４２０ｆに向かい合う固定片４２０ｅを固定リンクとする、いわゆる両てこ機構を構成する。この両てこ機構は、図３６（ａ）〜（ｃ）に示したように、画像表示体５００の回動軌道を、扉形前面部材２００の回転軸１００ａを中心とする回動軌道に近似させるべく、それぞれのピン位置が設定されている。
【００５１】
なお、長リンク４２０ｄと短リンク４２０ｃは、画像表示体５００がほぼ９０度回動した（開いた）状態で上下に重なり合うように重合領域４２０ｇ，４２０ｈが設定されており（例えば長リンク４２０ｄの重合領域４２０ｇを三角形に膨出させて短リンク４２０ｃの重合領域４２０ｈに重なるようにする。）、その重合領域４２０ｇ，４２０ｈの夫々にピン孔４２０ｉ，４２０ｊが形成されている。このピン孔４２０ｉ，４２０ｊは、両者を同軸上に揃えて棒状の止めピン（図示せず）を差し込むことにより長リンク４２０ｄと短リンク４２０ｃを連結し、もって両てこ機構をロックして画像表示体５００を開いた位置に固定するためのものである。
【００５２】
［画像表示体−ロック片］
図１１，図１２に示したように、ケース部材４００の縦の補強部材４０７のうち前記ヒンジ金具４２０を設けた補強部材４０７の反対側の補強部材４０７（図１１において向かって右側）にはロック片４２１が軸着されており、該ロック片４２１を図１１の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。そうすることにより扉形前面部材２００を開いて直ぐに画像表示体５００を開けばその奥の配線作業空間４０８内のチェックが行える。
【００５３】
［画像表示体−連結具］
なお、実施形態のスロットマシン１は、画像表示体５００の奥の配線作業空間４０８内のチェックを効率よく行う手段として、扉形前面部材２００と画像表示体５００を適宜な連結具７００で連結し、扉形前面部材２００の開閉に連動して画像表示体５００も一緒に開閉させるようにしてある。この場合、前記のように実施形態の扉形前面部材２００と画像表示体５００は、ヒンジ金具４２０の両てこ機構によって、画像表示体５００の回動軌跡が扉形前面部材２００の回転軸１００ａを回転中心とする回動軌跡に近似するようになっているものの、それでもなお両者の動きには相対的なずれが生じる。そのため実施形態の連結具７００は、図３９に示したように、画像表示体５００の自由端側の裏面に固定鞘部材７０１を形成し、該固定鞘部材７０１の内部に摺動自在な状態にロッド７０２を納め、そのロッド７０２の先端を扉形前面部材２００の裏面（具体的には錠装置２１５のベース部材２１５ａ）に対し、止め軸７０３で回転可能な状態に連結してある。こうすることにより、図３８のように、扉形前面部材２００の開閉に連動して画像表示体５００が扉形前面部材２００の付属部品であるかのごとく一緒に開閉し、その際生じる両者の動きの相対的なずれを連結具７００のロッド７０２が固定鞘部材７０１に出入りして吸収する。
【００５４】
なお、前記止め軸７０３は、錠装置２１５のベース部材２１５ａの一部を曲げて形成した支持片２１５ｂ，２１５ｂ，２１５ｂに対し、上下動自在に装着されており、スプリング７０３ａにより常時下向きに付勢されている。よって、この止め軸７０３は、スプリング７０３ａの付勢に抗して上動させることが可能であり、上動させて下端を浮かせることによって前記連結具７００のロッド７０２の着脱が可能である。
また、図３９において、符号７０４は連結具７００の固定鞘部材７０１の上面に設けた弾性的な片持ち梁式のストッパであって、前記止め軸７０３から外したロッド７０２を固定鞘部材７０１の内部に納めて保持するためのものであり、ロッド７０２の上面に形成した溝７０５の端部に係合してロッド７０２の盲動を防止する。ロッド７０２には、その側面に摺動方向と直交する方向に摘み片７０６が突設されており、該摘み片７０６を摘んでロッド７０２を強制的に移動させることにより前記ストッパ７０４のロックが外れるようになっている。
また、図３９において、連結具７００の近傍にある符号５０９は、画像表示体５００の自由端側の裏面に突設した係合部である。該係合部５０９は、ケース部材４００の開口部４０１を横切る補強桟４０２に係合して、閉じ位置にある画像表示体５００の自由端側の荷重を支えるものである。なお、図１１に示したように、補強桟４０２には、前記係合部５０９を補強桟４０２の上面に円滑に導くべく、画像表示体５００に向かって下り傾斜する滑り台式の案内部４０２ａが設けてある。また、画像表示体５００の係合部５０９は、画像表示体５００とは別の潤滑性に優れた合成樹脂で形成されており、画像表示体５００に対し着脱自在（交換自在）に装着されている。
【００５５】
ところで、扉形前面部材２００と画像表示体５００の回動軌跡の相違に起因する動きの相対的なずれは、上記のような伸縮自在なロッド形式の連結具７００の他、柔軟なワイヤーにしても吸収することができる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が前記付勢力の作用で連結具を引っ張りつつ自力で閉じるから、扉形前面部材２００と画像表示体５００がぶつからない。
もちろん扉形前面部材２００と画像表示体５００の連れ回りのための手段は上記に限定されない。例えば、上記において連れ回りのための一要素たるヒンジ金具４２０は、上記のような両てこ機構の構造に限定されず、図４０，図４１に示したような、単独のピン４２０ｋを中心にして画像表示体５００を回動させる単純なものであってもよい。
【００５６】
ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えば主制御基板４０９）がブロックできるから、防犯性能の向上に効果がある。
【００５７】
ケース部材４００の開口部４０１上縁と閉じた画像表示体５００の上縁との前後間には隙間１０が設けられており、該隙間１０に通した指で天板４０６の前記補強部材４０７が掴めるようになっている。また、ケース部材４００の天板４０６の前方中央部分（天窓部４４３，４４３の間の補強帯４４４）には把手口４２２が形成されており、該把手口４２２に通した指で天板４０６の補強部材４０７が掴めるようになっている。従ってケース部材４００は、取り扱う場所や姿勢に応じて該把手口４２２と前記隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図４に示したように把手口４２２が外本体１００の奥に隠れて指が入らないため、前記隙間１０から補強部材４０７に指を掛けてケース部材４００を引っ張り出す、という具合である。なお、ケース部材４００の底板４０３の正面中央には前記した装置ケース３０２の下把手３１６（図４，図１１参照）が突出しており、該下把手３１６を持って押し込み又は引っ張ることで外本体１００へのケース部材４００の出し入れが容易に行える。この場合の下把手３１６は、装置ケース３０２がケース部材４００にビスで固着されていることよりケース部材４００と一体であり、従ってケース部材４００の床板４０３の正面に下把手３１６が突設されているに等しい。
【００５８】
［画像表示体−枠部材］
画像表示体５００は、ケース部材４００の開口部４０１の前記補強桟４０２から上の領域のほぼ全部を覆う大きさである。また、画像表示体５００の下側には、ケース部材４００の開口部４０１の前記補強桟４０２から下の領域、つまり図柄変動表示装置３００の前方領域を額縁状に囲う枠部材５０１が一体に垂設されており、該枠部材５０１により前記図柄変動表示装置３００のリール３０１ａ，３０１ｂ，３０１ｃが縁取られる。この枠部材５０１の表面は装飾面になっており、適宜な模様等が描かれている。
【００５９】
［画像表示体−枠部材−照明装置］
前記枠部材５０１の裏側上下には照明装置５０２が設けられており、該照明装置５０２によって図柄変動表示装置３００の図柄が明るく照らされる。枠部材５０１は画像表示体５００の下に垂設されていて図柄変動表示装置３００に近いから、そのような枠部材５０１に照明装置５０２を組み込むことで光源を図柄変動表示装置３００に近づけることができる。従って枠部材５０１に照明装置５０２を組み込む手段は、従来の照明装置に比べて低光量でも十分な明るさが確保できる、という特徴がある。
【００６０】
実施形態として例示した照明装置５０２は、図４に示したように、図の紙面と直交する方向（スロットマシン１の幅方向であってリール３０１ａ…の回転軸と同方向）に細長い帯状の基板５０３に多数の発光ダイオード（以下ＬＥＤという。）５０４を並べたものであり、下側の照明装置５０２は、上面を例えば乳白色の透光性蓋板５０５で塞いだチューブ枠５０６の中にＬＥＤ５０４を上向きにして配置し、一方、上側の照明装置５０２は、断面上向きコ字状の例えば乳白色である透光性カバー５０７内にＬＥＤ５０４を下向きにして配置してなる。
【００６１】
なお、上側の照明装置５０２は、照明方向を図４に示したように真下より遊技者側、すなわち透明板２１４ａ側に向かう斜め下向きに設置してある。実施形態では比較的強い指向性を持ったＬＥＤ５０４の主たる照射領域の中心線Ｌ（図４拡大図参照）を透明板２１４ａに対し斜めに向かわせるべく、基板５０３のＬＥＤ取付面の向きが、前記透明板２１４ａ側に向けて斜め下向きに傾けられている。
また、もし照明装置５０２の光源として蛍光灯のような棒状発光体を採用した場合には、図４の基板５０３を板状又は光源を包むような凹面状の反射部材に変更し、直射光と反射光の総和により方向付けられる主たる照射領域の中心線が、透明板２１４ａ側の裏面に斜めに当たるように設定すればよい。
以上のように照明装置５０２の照射照準を透明板２１４ａに設定すれば、漏れた一部の光がリール３０１ａ，３０１ｂ，３０１ｃの外周面を照らしても殆ど影響はない。
【００６２】
実験によれば、照明装置５０２の照明方向をリール３０１ａ，３０１ｂ，３０１ｃの周面側に向けた場合には、湾曲するリール３０１ａ，３０１ｂ，３０１ｃの特定部分が強く反射して見辛くなるのに対し、上記のように主たる照射領域の中心線Ｌを透明板２１４ａに対し斜めに向かわせた場合には、透明板２１４ａを介してリール外周面が照らされることにより、リール３０１ａ，３０１ｂ，３０１ｃの広い範囲が明るく見え易くなることが確認できた。その理由として、照明装置５０２から照射した光が扉形前面部材２００の透視窓２１４に嵌めた透明板２１４ａに当たって反射し全体に拡散するか、或は透明板２１４ａが明るく照らされることでリール３０１ａ，３０１ｂ，３０１ｃの広い範囲が明るく見えるか、或はそれらの相乗作用によるものと推測される。
【００６３】
以上のような上側の照明装置５０２の構造は、下側の照明装置５０２にも採用することができ、もちろん図３１に示したように下側の照明装置５０２にのみ採用することもできる。なお、図３１は図４の上側の照明装置５０２を下側に配置し、下側の照明装置５０２を上側に配置したものであるため、上記照明装置５０２の説明の「上」を「下」に読み替え、「下」を「上」に読み替えればよい。
【００６４】
ところで照明装置５０２の光源として実施形態のようにＬＥＤを採用した場合には、（ａ）低電圧で駆動するため約２００Ｖの高電圧で駆動する従来の冷陰極管より安全性が高い、（ｂ）冷陰極管より寿命が長い、（ｃ）ガラス管である冷陰極管より丈夫である、（ｄ）多色発光が可能であるため演出の幅を広げることができる、（ｅ）インバータと組み合わせて使用する冷陰極管より軽く、従って画像表示体５００を支えるヒンジ金具４２０の負担が少ない、というメリットがある。
【００６５】
［配線手段］
前記外本体１００に取り付けられている例えばメダル払出装置１１０や電源装置１１２及び扉形前面部材２００の操作部２０２にある例えば各ベットボタン２０５，２０６や始動レバー２１０（以下、これらの総称として単に「本体側電気部品」という場合もある。）と、ケース部材４００にある例えば主制御基板４０９等（ケース部材側の電気部品の総称として単に「ケース部材側電気部品」という場合もある。）とは電気的に接続されている。そして、実施形態のスロットマシン１は、遊技ユニット（外本体１００の内部に対して着脱自在に設けられたケース部材４００に、図柄変動表示装置３００と任意の画像を表示する画像表示体５００と含むケース側電気部品を組み付けてなる。この実施形態では図１１の分解斜視図に示されているように、図柄変動表示装置３００＋ケース部材４００＋画像表示体５００よりなる）が外本体１００に対し着脱自在であるため、遊技ユニット（ケース部材４００）の交換等に際して本体側電気部品とケース部材側電気部品とを簡単に接続又は切り離すための合理的な配線手段が設けられている。
【００６６】
［配線手段−配線中継部材］
前記のように外本体１００の背板１０４の内面上部には、図１４に示した配線中継部材１１３が取り付けられている。該配線中継部材１１３は図４，図５に示したように、前記ケース部材４００の配線窓４１１に対応する位置にあって該配線窓４１１からケース部材４００の空きスペース４１７に臨むようになっている。配線中継部材１１３は、前記本体側電気部品につながる本体側配線類１１９と、前記ケース部材側電気部品につながる遊技ユニット側配線類４２３とを中継するものであって、外本体１００の背板１０４にビス止めされる取付板１２０と、該取付板１２０の前面に被さるカバー体１２１と、該カバー体１２１と前記取付板１２０の間に納められる複数（実施形態では大小２枚）のコネクタ基板（以下「コネクタ接続用端子基板」という場合もある。）即ち、主中継基板１２２，周辺中継基板１２３とからなる。
【００６７】
前記２枚のコネクタ基板１２２，１２３のうち、図１４，図１５において左側に位置する大きい方のコネクタ基板である主中継基板１２２は取付板１２０に対して固定的に取り付けられており、前記主制御基板４０９につながっているハーネス４２４の先端のコネクタ４２５と対をなすコネクタ１２４が設けられている。実施形態において、主制御基板４０９につながっているハーネス４２４及び先端のコネクタ４２５は（図１１、図１６−１参照）、請求項１にも記載されている遊技ユニット側配線類のうちの遊技制御基板につながった主制御系配線類及びその先端に取付けられた主制御系配線類接続用コネクタに相当する。また、主中継基板１２２のコネクタ１２４は、請求項１にも記載されている電源装置１１２からの配線を含む本体側配線類を集合させた主中継用コネクタに相当するものである。
【００６８】
一方、図１４，図１５において右側に位置する小さい方のコネクタ基板（周辺中継基板）１２３は、取付板１２０とカバー体１２１の間の隙間に非固定的な遊動可能状態に取り付けられており、従って図１５拡大図に示したように上下方向に移動可能であり、また、左右方向にも移動し得る。この小さいコネクタ基板１２３には、後述の周辺制御基板７５０につながっているハーネス４２６の先端のコネクタ４２７と対をなすコネクタ１２５が設けられている。実施形態において、周辺制御基板７５０につながっているハーネス４２６及びその先端のコネクタ４２７は、請求項１にも記載されている遊技ユニット側配線類のうちの周辺制御基板につながった周辺制御系配線類及びその先端に取付けられた周辺制御系配線類接続用コネクタに相当する。また、周辺中継基板１２３のコネクタ１２５は、請求項１にも記載されている本体側配線類とは別とされ（図１４に符号９１０で示されているハーネスが相当する）、扉形前面部材２００に配設された扉側装飾発光体（後述の左発光体２１７Ａ、右発光体２１７Ｂ及び上発光体２１７Ｃが相当する）からの配線類を含んで集合させた周辺中継用コネクタに相当する。さらに、本発明では、遊技ユニット側配線類が遊技制御基板につながった主制御系配線類４２４と周辺制御基板につながった周辺制御系配線類４２６とに分割される（図１６−１参照）。なお、該コネクタ１２５と前記コネクタ１２４は、プリント基板にハンダ付け等の固着手段で固着する基板固着型であり、安価なＤＩＮ規格のものが使われている。
【００６９】
また、取付板１２０の前面に被さるカバー体１２１は、前記コネクタ１２４，１２５が通る大小２つの開口１２６，１２７と、該開口１２６，１２７と横並びの位置に突設した支持筒１２８と、下半部前方に張り出すトンネル状の配線ダクト１２９と、を有する。
【００７０】
配線中継部材１１３に接続する本体側配線類１１９は、前記配線ダクト１２９の内部を通るか、または配線中継部材１１３の取付板１２０の下側前面に突設したフック形状の配線止め１３０に束ねられた状態で、図１一点鎖線Ｌに示したように外本体１００の側板１０２，１０２側に振り分けられ、該側板１０２，１０２と背板１０４のコーナー付近でほぼ垂直に向きを変え、その多くは仕切板１０５の奥に設けた配線用の開口１０９を通って本体側電気部品に夫々接続される。もちろん仕切板１０５より上の領域に本体側電気部品（例えば図１において側板１０２の内面に設けた外部中継端子板１３１）がある場合には、仕切板１０５の配線用の開口１０９とは無関係にそのまま接続される。
【００７１】
ここまでで説明した配線手段から、次のような技術的思想が把握できる。
（ａ）ケース部材４００の後面板４０５に、図柄変動表示装置３００のリール３０１ａ，３０１ｂ，３０１ｃの回転中心を通る水平面とリール３０１ａ，３０１ｂ，３０１ｃの最高高さ位置を通る水平面との間に自己の下辺が位置する高さにして配線窓４１１を形成する。
（ｂ）外本体１００の背板１０４に、本体側電気部品につながる本体側配線類１１９と、ケース部材側電気部品につながる遊技ユニット側配線類４２３とを中継する配線中継部材１１３を設置する。
（ｃ）外本体１００の側板１０２，１０２の内面沿いに配線を通す上下方向の配線経路を形成する。
（ｄ）配線中継部材１１３につながる本体側配線類１１９をケース部材４００の側方に導き、そこから前記配線経路を通って本体側電気部品に接続する。
【００７２】
以上（ａ）〜（ｄ）の構成要素を備えた遊技機は、図柄変動表示装置３００のリール３０１ａ，３０１ｂ，３０１ｃの後ろを本体側配線類１１９が通らず、外本体１００の側板１０２，１０２沿い（背板１０４とのコーナーを含む（図１０参照）。）に設けた配線経路を迂回するため、リール３０１ａ，３０１ｂ，３０１ｃを外本体１００の背板１０４近くにまで寄せることが可能になり、従来の構成、すなわち、本体側配線類１１９が背板１０４のほぼ中央を下ってリール３０１ａ，３０１ｂ，３０１ｃの後ろを通っていた従来の構成に比べて、リール３０１ａ，３０１ｂ，３０１ｃの径を大きくすることができる。なお、リール３０１ａ，３０１ｂ，３０１ｃの径は大きい方が、回転時の迫力が増す。
【００７３】
［配線手段−コネクタ４２５，４２７］
上記のように配線中継部材１１３に設けられている２つのコネクタ１２４，１２５には、ケース部材４００の主制御基板４０９につながっているハーネス４２４の先のコネクタ４２５と、後述の周辺制御基板７５０につながっているハーネス４２６の先のコネクタ４２７がそれぞれ接続されている。
この２つのコネクタ４２５，４２７は、図１６−１に示したように１つのコネクタホルダー４２８に一体に取り付けられている（コネクタ４２５，４２７は、１つのコネクタホルダー４２８に一括支持されている）。該コネクタホルダー４２８は、コネクタ４２５，４２７がビス止めされるホルダー主体４２９と、ほぼ中央に透孔４３０を有し前記ホルダー主体４２９の両横に突設した板状の取着片４３１と、該取着片４３１の透孔４３０に装着した周知のボタン形パネルファスナー４３２（商品名「ナイラッチ」：登録商標）と、からなり、図５，図８（ａ）に示したように配線中継部材１１３の前記支持筒１２８の先に取着片４３１を当て、該取着片４３１のボタン形パネルファスナー４３２を支持筒１２８に差し込んでロックしてある。従ってコネクタホルダー４２８が固定手段たる支持筒１２８に固定され、ひいては配線中継部材１１３に固定されるため、コネクタ４２５，４２７とコネクタ１２４，１２５の結合が外れない。
【００７４】
［配線中継基板−コネクタ４２５，４２７−仮止め棚］
上記のようにコネクタ４２５，４２７は配線中継部材１１３のコネクタ１２４，１２５に接続されているが、ケース部材４００が外本体１００に組み込まれる前、つまり工場出荷から設置完了までの間、コネクタ４２５，４２７は、ケース部材４００に設けた仮止め棚４１８に仮止めされている。
【００７５】
前記仮止め棚４１８は、図５，図６，図１２，図１３に示したようにケース部材４００の内側から前記配線窓４１１に向かわせた棚板状の部材であり、図６に示したようにコネクタホルダー４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダー４２８の取着片４３１が嵌まり得る間隔が設けてある。
なお、一方のベンチ側板４３４は、先端に指掛部４３６を延設した薄板構造であって、指掛部４３６に指を掛け図８（ｂ）矢示Ｘ方向に力を加えることにより一端支持の板バネのごとく外向きに反らせ得るようになっており、その反らせた状態で内向き爪片４３５，４３５，４３５からコネクタホルダー４２８の取着片４３１が簡単に外れるようになっている。図８（ａ）の想像線は指掛部４３６の先を鍵形に折り曲げた例を示したものであり、こうすることにより矢示Ｙのようにボタンを押す感覚でコネクタホルダー４２８の取外しが楽に行える。
【００７６】
しかして、図６に示したように前記仮止め棚４１８のベンチ部４３３にコネクタホルダー４２８を載置し、該コネクタホルダー４２８の取着片４３１をベンチ側板４３４の内向き爪片４３５，４３５，４３５の間に嵌めることによってコネクタホルダー４２８が仮止め棚４１８に仮止めされる。もちろん仮止めと言っても、ケース部材４００の輸送中にコネクタホルダー４２８が仮止め棚４１８から外れない強度を有する設定になっており、従ってケース部材４００が外本体１００に組み込まれる前までは、コネクタホルダー４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２６（図１３参照）の先にあるコネクタ４２５，４２７が、ケース部材４００内の部品に当たってその部品はもちろん、自らも損傷する、というようなおそれがない。
【００７７】
そして、図８（ｂ）→図８（ａ）に示したように、ケース部材４００を外本体１００に固定した後の配線工程で、上記のように一方のベンチ側板４３４を外向きに反らせてコネクタホルダー４２８を仮止め棚４１８から外し、そのコネクタホルダー４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。なお、このとき図５，図６に二点鎖線で示したように、ベンチ部４３３にガイド用の案内レール４４０を設けておけば、コネクタホルダー４２８を奥に押し込むだけでよいため、作業性が向上する。
以上のようにして配線中継部材１１３に取り付けたコネクタホルダー４２８は、外本体１００の背板１０４を支持基盤として安定し、ケース部材から離間していて接触しないため、輸送時の振動等で外本体１００と遊技ユニットが相対的に動いても無理な負荷が加わらない。
【００７８】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた遊技ユニットと、
（ｃ）前記本体側電気部品につながる本体側配線類と、前記ケース部材側電気部品につながる遊技ユニット側配線類とを中継すべく前記外本体の背板に取り付けた配線中継部材と、
（ｄ）前記遊技ユニット側配線類の先端に取り付けたコネクタと、
（ｅ）該コネクタに取り付けたコネクタホルダーと、
（ｆ）該コネクタホルダーを仮止めするためケース部材に設けた仮止め部材と、
（ｇ）前記コネクタホルダーを前記配線中継部材に固定するための固定手段と、を有し、（ｈ）遊技ユニットを外本体に装着する前の状態で前記コネクタホルダーを仮止め部材に仮止めし、遊技ユニットを外本体に装着した状態で前記コネクタホルダーを仮止め部材から固定手段に付け替えてコネクタホルダーのコネクタを配線中継部材に接続するようにしたことを特徴とする
（ｉ）遊技機。
【００７９】
上記の遊技機は、遊技ユニットの外本体１００への装着とコネクタ同士の結合とを別々に行うようにしたものであるが、これとは対照的に、例えば遊技ユニットに直接コネクタを取り付け、遊技ユニットを外本体１００に押し込む動作で自動的にコネクタ同士を結合させる、という方式が考えられる。しかしこの方式は、質量の大きな遊技ユニットが輸送中などに外本体１００の内部で振動した場合、大きな負担がコネクタ結合部に掛かるため信頼性に不安があり、その対策にコストが掛かる課題がある。
【００８０】
また、本発明の遊技機は、外本体１００に１枚の扉形前面部材２００を取り付け、該扉形前面部材２００に対して遊技ユニットを物理的に独立させた構成であるが、これとは対照的に、扉形前面部材を上下２段に分割し、上部の扉形前面部材を遊技ユニット側の部品とする遊技機も考えられる。しかし、このような遊技機では、遊技中に興奮した遊技者が上部の扉形前面部材を叩いた場合にコネクタ結合部に直接衝撃が加わるためコネクタの結合が不安定になるおそれがあり、さらに上下の扉形前面部材同士の継ぎ目に対し新たな防犯構造を要する課題がある。
【００８１】
これに対し本発明の遊技機は、外本体１００に１枚の扉形前面部材２００を取り付け、該扉形前面部材２００に対して遊技ユニットを物理的に独立させた構成であり、さらに、コネクタホルダー４２８を配線中継部材１１３に接続した後、該コネクタホルダー４２８は、図５に示したように外本体１００に固定した部品（配線中継部材１１３）と結合し遊技ユニットから離間した独立構造になっているため、プリント基板にハンダ付けして用いる低コストで一般的なコネクタを使用した場合でも、輸送中においても、遊技中においても信頼性・耐久性に不安がない。また、遊技ユニットのみが機種変更時の交換対象であり、扉形前面部材２００は交換対象とならないため、機種変更のための遊技場の負担も軽くなる。
【００８２】
［コネクタ４２５，４２７とコネクタ１２４，１２５の結合］
前記のようにコネクタ４２５とコネクタ４２７は、１つのコネクタホルダー４２８に取り付けられている。こうすることによりコネクタホルダー４２８を配線中継部材１１３の所定の位置にセットする１回の動作で２つのコネクタ４２５，４２７の接続が完了する。
しかし現実の問題として、２つのコネクタ４２５，４２７とコネクタホルダー４２８という独立した要素を寄せ集めて一体にする構造では、コネクタ４２５，４２７とコネクタ１２４，１２５の「正確な位置決め」という困難な問題に直面する。すなわち２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。
そのような問題を解決する１つの手段として、プリント基板にハンダ付けすることなく結合時の融通性を高める機構を施したいわゆるドロワーコネクタを使用する方法が考えられるが、ドロワーコネクタ自体が高価であるため、まだコスト面の負担が大きい。
【００８３】
これに対し実施形態の配線手段では、基板支持部材たる配線中継部材１１３のコネクタ基板１２２，１２３を分割してそれぞれにコネクタ１２４，１２５を装着し、そのコネクタ基板１２２，１２３の少なくとも一方を、配線中継部材１１３の取付板１２０とカバー体１２１の間の隙間に非固定的に納めてコネクタ４２７とコネクタ１２５の結合方向と直交する方向（ここでの「直交」は、厳密な９０度にこだわらず、社会通念上のほぼ９０度という程度の意味である。）に遊動可能状態にする手段を講じている。かかる構成においてコネクタホルダー４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより基板固着型で安価なＤＩＮ規格のコネクタで十分に対応できる。
【００８４】
ここまでの説明から、次のような技術的思想が把握できる。
（１）「２以上の配線用のコネクタと、その各コネクタと対をなす２以上の配線用のコネクタとを有する遊技機において、一方のコネクタグループを１つのコネクタホルダーに固着すると共にこれらと対をなす他のコネクタグループをコネクタ基板に装着し、さらにそのコネクタ基板をコネクタ毎に分割してその１つを基板支持部材に固定すると共に他のコネクタ基板を基板支持部材に対しコネクタの結合方向と直交する方向に遊動可能な状態に取り付けるようにしたことを特徴とする遊技機。」
（２）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながる遊技ユニット側配線類とを中継すべく前記外本体の背板に取り付けた配線中継部材と、
前記遊技ユニット側配線類の先端に取り付けた２系統以上のコネクタと、
該２系統以上のコネクタをコネクタグループとして一括支持するコネクタホルダーと、  該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
該コネクタ接続用端子基板をコネクタ毎に分割してその１つを前記配線中継部材に固定すると共に他のコネクタ接続用端子基板を配線中継部材に対しコネクタの結合方向と直交する方向に遊動可能な状態に取り付けるようにしたことを特徴とする遊技機。」
（３）「２以上の配線用のコネクタと、その各コネクタと対をなす２以上の配線用のコネクタとを有する遊技機において、
一方のコネクタグループをコネクタ基板を介して基板支持部材に固着すると共にこれらと対をなす他のコネクタグループを１つのコネクタホルダーに装着し、さらにそのコネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
（４）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた遊技ユニットと、
前記本体側電気部品につながる本体側配線類と、前記ケース部材側電気部品につながる遊技ユニット側配線類とを中継すべく前記外本体の背板に取り付けた配線中継部材と、
前記遊技ユニット側配線類の先端に取り付けた２系統以上のコネクタと、
該２系統以上のコネクタをコネクタグループとして一括支持するコネクタホルダーと、  該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
前記コネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
【００８５】
以上の遊技機は、固定したコネクタ接続用端子基板のコネクタに照準を合わせてコネクタホルダーを操作するようにすれば、他のコネクタ同士の相対位置に製造誤差等で若干の狂いがあっても、非固定のコネクタ接続用端子基板がコネクタごと遊動してその狂いを矯正すべく移動し誤差を吸収するから、結合照準でないコネクタ同士の結合も可能になる。
従って１つのコネクタホルダーを用いて複数系統のコネクタの一括接続が可能である。しかも使用しているコネクタは、プリント基板にハンダ付けして用いるような汎用的で安価な例えばＤＩＮ規格のものであり、コストも安い。
また、コネクタホルダーは、ナイラッチ（登録商標）等の固定手段で配線中継部材、ひいては該配線中継部材を介して外本体の背板に確実に固定される。一方、コネクタホルダーと遊技ユニットの間では、フレキシブルなハーネスを介してつながっているのみであり、遊技ユニットが動いたとしても、その動きはフレキシブルなハーネスが吸収するので、コネクタホルダーに動きは伝わらない。このため、たとえ輸送中の振動により外本体と遊技ユニットの間に相対的な動きが生じても、コネクタホルダーは、外本体のみと一緒に動き、遊技ユニットの干渉を受けないから、コネクタの結合部には全く負荷が掛からない。
よってコネクタ結合の信頼性が非常に高い。
【００８６】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。
また、実施形態では、図９のようにコネクタ４２５，１２４の方がもう一方のコネクタ４２７，１２５より先に結合するようになっており、そうすることにより結合照準のコネクタ同士が合わせやすい。
【００８７】
また、図９に拡大して示したように凸形のコネクタ４２５，４２７の凸部先端の周縁角部及び／又は凹形のコネクタ１２４，１２５の差込口の周縁角部に面取り部Ｃ（直線的な面取り、曲線的な面取りのいずれも可）を形成しておけば、面取り部Ｃのテーパに沿った誘導作用が、コネクタ同士の結合性をより良好にする。
【００８８】
また、実施形態のように、配線中継部材１１３のコネクタ基板１２２，１２３を遊動可能にする構成の他、コネクタホルダー４２８側のコネクタ４２５，４２７の何れか一方を遊動可能にすることも可能であり、その場合も上記と同様の作用効果が得られる。なお、かかるコネクタホルダー４２８の具体例を図１６−２に示した。この例では、コネクタホルダー４２８のホルダー主体４２９に雌ねじ付きの受筒４２９ａを突設し、一方、コネクタ４２７の両横に遊孔４２７ａを有する耳片４２７ｂを形成し、コネクタホルダー４２８の受筒４２９ａにコネクタ４２７の遊孔４２７ａを遊嵌させ、座金付きのビス４２７ｃをもって耳片４２７ｂの抜け止めとしている。そうすることによりコネクタ４２７は、コネクタホルダー４２８に対し、遊孔４２７ａと受筒４２９ａの径の差の範囲で自由に遊動し得る。この場合のコネクタ基板１２２，１２３は、一体にして取付板１２０に固定すればよい。
また、実施形態では２つのコネクタを１つのコネクタグループとして取り扱ったが、１つのコネクタグループのコネクタ数は２以上でもよい。
【００８９】
また、実施形態では図４，図１２に示したように、ケース部材４００の後面板４０５の裏側であって、前記図柄変動表示装置３００の装置ケース３０２の下斜板３１０に向けて凹ませたケーブル溝４３７が形成され、該ケーブル溝４３７の両端近傍にケース部材４００の側板４０４（又は後面板４０５）を貫く配線口４３８，４３８が開設されている。この配線口４３８，４３８とケーブル溝４３７は、図柄変動表示装置３００と主制御基板４０９等とを接続するためのものであり、図１１において図柄変動表示装置３００の装置ケース３０２の向かって右側面（扉形前面部材２００の非ヒンジ側の側面）に設けたリール基板３１２のケーブル３１３（図１２参照）を１つの配線口４３８からケース部材４００の外に引き出し、そのケーブル３１３を図１２のようにケーブル溝４３７に納め、さらにそのケーブル３１３の先を他の配線口４３８からケース部材４００の中に戻して主制御基板４０９等につなぐようにしてある。なお、ケーブル溝４３７には所定の間隔でケーブル止め４３９が設けられていて、ケーブル溝４３７からケーブル３１３が脱落しないようになっている。
【００９０】
しかして主制御基板４０９等とリール基板３１２は、共にケース部材４００の中にあるケース部材側電気部品であり、本来、ケース部材４００の外にケーブル３１３を引き出す必要はない。それを敢えてケース部材４００に配線口４３８，４３８とケーブル溝４３７を設けてケーブル３１３を外伝いに迂回させるようにした理由は次のとおりである。
【００９１】
リール基板３１２の設置場所は、限られたスペースの中でコネクタを抜き差しする配線の作業性を考慮すると、図柄変動表示装置３００（装置ケース３０２）の側面のうち扉形前面部材２００の非ヒンジ側に相当する側が好ましい。もし逆に、扉形前面部材２００のヒンジ側に相当する装置ケース３０２の側面にリール基板３１２を設けると、開ききった扉形前面部材２００（図１参照。）とリール基板３１２が近接位置で向かい合うため、コネクタの抜き差しに必要な広い作業空間が確保できないからである。
しかし一方、リール基板３１２の接続対象たる基板類（主制御基板４０９，画像表示体５００等）の接続部がケース部材４００の扉形前面部材２００のヒンジ側に相当する側にあると、ケーブル３１３がケース部材４００の内部を横切る格好になる。
そうすると前記装置ケース３０２をケース部材４００に装着する際にケーブル３１３を噛み込んだり、逆に装置ケース３０２を引き出す際にケーブル３１３を引っ掛けるおそれがある。
【００９２】
これに対し実施形態のように、ケース部材４００に配線口４３８，４３８とケーブル溝４３７を設けてケーブル３１３を外伝いに迂回させるようにすれば、上記したようなケーブル３１３のトラブルは生じない。また、配線作業は、装置ケース３０２を所定の位置から若干引き出した状態で行う方が作業性がよく、それに伴って配線口４３８からリール基板３１２までのケーブル３１３の長さは、配線代とでも言うべき余裕が設けられている。
従って装置ケース３０２を所定の位置にセットした状態でケーブル３１３に弛みが生じ、引き出し量によってはケーブル３１３の弛みが大きくなる。そのようなケーブル３１３の弛みが大きい場合には、配線口４３８と横並びの位置にある、装置ケース３０２の下斜板３１０とケース部材４００の奥のコーナー部分との間に出来る三角スペースにケーブル３１３の弛んだ部分を逃がすことができる。
【００９３】
また、実施形態のようにケーブル溝４３７を装置ケース３０２の下斜板３１０に向かわせて膨らませるようにした場合には、ケース部材４００の奥と装置ケース３０２の下斜板３１０との間にできるデッドスペースの有効活用に役立つ。
なお、配線口４３８，４３８とケーブル溝４３７を使った配線は、リール基板３１２のケーブル３１３に限定する必要はなく、ケース部材４００の内部を横切るケーブル全てに適用できる。
【００９４】
その他、図１１中、符号４４１は機能分離中継端子板である。
【００９５】
以上のように構成されるスロットマシン１は、ケース部材４００を外本体１００に装着し、必要な配線を完了した完成品の状態で工場から出荷される。そして、その完成品のまま遊技場の遊技機設置島に取り付けられるが、このとき図２４想像線のように、外本体１００の天板１０３と遊技機設置島の上桟６００とを木ねじ等の固定部材６０１で止める場合は、扉形前面部材２００と画像表示体５００を開放し、外本体１００の貫通孔１３２に対しケース部材４００の内側から天窓部４４３越しに固定部材６０１を挿通させ、さらにドライバー等の工具６０２で天窓部４４３越しに固定部材６０１を締め付けて外本体１００の天板１０３と遊技機設置島の上桟６００とを固定的に連結する。なお、貫通孔１３２は複数設けられているため、必要に応じてその中から任意に選択して使用することができる。例えば、上桟６００の位置やサイズにばらつきがあってもその上桟６００に対応する貫通孔１３２を選択することができる。また、遊技機をまるごと入れ替える場合に、使用する貫通孔１３２を変更すれば、上桟６００の同じ位置に固定部材６０１の穴が開く弊害（いわゆる、ばか穴化）が防止できる。
【００９６】
ところで、図２４に示したように外本体１００とケース部材４００の間には隙間Ｓが形成されており、画像表示体５００等から発生した熱が画像表示体５００の冷却ファン（図示せず）で煽られ、ケース部材４００の天窓部４４３から前記隙間Ｓを通って背板１０４の通気口１３３に至り、そこから遊技機設置島の内部に抜ける。このとき背板１０４とケース部材４００の間に配線中継部材１１３がありこれが障壁のごとく作用して前記隙間Ｓを広範囲に塞ぐから、隙間Ｓを流れる熱気がこの部分で遮られ、配線中継部材１１３より上方にある背板１０４の通気口１３３から積極的に外部に放出される。従って放熱効果が高い。
【００９７】
［遊技ユニットの交換］
遊技内容を変更する場合や、遊技機種を変更する場合には、外本体１００及び扉前面部材２００に配設されている部材や電気部品を残してそのまま継続使用すると共に、遊技ユニットのみを本体側（外本体１００及び扉前面部材２００）に対して取り外し、新たな遊技ユニットを外本体１００の開口１０９の内部に収納固定することになる。以下、遊技ユニットを交換する場合の具体的な作業手順を説明する。
【００９８】
［遊技ユニットの外本体１００からの取り外し］
図３に示す扉形前面部材２００の自由端側の一側の錠装置２１５にキー（鍵）を挿入して右回りに回すと錠が外れ、扉形前面部材２００を外本体１００から開放させることができる。扉形前面部材２００を外本体１００に対して手前に引くと、扉形前面部材２００が回転軸１００ａ（図１，図３８参照）を中心として外本体１００に対して内部を開放する方向に回動する。このとき、画像表示体５００は、連結具７００（図３９参照）により、扉形前面部材２００の支持片２１５ｂに支持された止め軸７０３の下端部分が、画像表示体５００の固定鞘部材７０１内を摺動するロッド７０２に連結されていることにより、画像表示体５００がヒンジ金具４２０（図３８参照）を中心に扉形前面部材２００と一体となって回動する。これにより、ケース部材４００の開口部４０１が露出した状態となる。
【００９９】
次に、ケース部材４００の開口部４０１に手を入れ、その奥の配線作業空間４０８内のコネクタホルダー４２８（図１６−１参照）を配線中継部材１１３から外す。図５に示すように、コネクタホルダー４２８は左右のボタン形パネルファスナー４３２，４３２により配線中継部材１１３の支持筒１２８，１２８に固定されている。左右のボタン形パネルファスナー４３２，４３２を摘み、手前方向に５ｍｍほど引くと、左右のボタン形パネルファスナー４３２，４３２と支持筒１２８，１２８との結合が外れる。そして、コネクタホルダー４２８の左右の取着片４３１，４３１を手で支持して手前方向に引くことにより、配線中継部材１１３のコネクタ１２４とコネクタホルダー４２８のコネクタ４２５とのコネクタ結合が外れると共に、配線中継部材１１３のコネクタ１２５とコネクタホルダー４２８のコネクタ４２７とのコネクタ結合が外れることにより、両コネクタ４２５，４２７を抜くことができる。配線中継部材１１３から取り外したコネクタホルダー４２８は、仮止め棚４１８のベンチ部４３３に配置するようにする（図６参照）。これにより、遊技ユニットを輸送中にコネクタホルダー４２８が移動したりすることがない。
【０１００】
次に、図２２に示されている上部左右のストッパー１１７を遊技ユニットの内部から手で回してケース部材４００の係止孔４４２に係合しない位置に回動させる（ケース部材４００の前方向への移動規制の解除）。また、下部のストッパー１１７（図１，図１７参照）を図１７で２点鎖線で示される位置に回動させて倒す（ケース部材４００の前方向への移動規制の解除）。
【０１０１】
次に、図３９に示す連結具７００の止め軸７０３をスプリング７０３ａの付勢に抗して上方に持ち上げることにより、止め軸７０３とロッドとの係合を解除した状態としまま、画像表示体５００をヒンジ金具４２０（図３８参照）を中心にケース部材４００の開口部４０１を閉鎖する方向に回動させる。そして、画像表示体５００でケース部材４００の開口部４０１を閉鎖した状態とし、図１１に示すロック片４２１を時計回りに回動させて、その先端を画像表示体５００の裏側に突設した受部５０８に係合し、この状態で画像表示体５００をケース部材４００の開口部４０１の上部を閉じた位置にロックする。これにより、遊技ユニットが外本体１００の仕切板１０５（図１参照）に載っただけの状態となる。
【０１０２】
次いで、図柄変動表示装置３００の下方となるケース部材４００の下部の下把手３１６（図１，図１１参照）に手を掛けて手前方向に引くことにより、遊技ユニットをケース部材４００と共に外本体１００に対して手前方向に引き出す。そして、ケース部材４００の上面に設けられた把手口４２２に手を掛けて一気に遊技ユニットを引き出す。以上のようにして、遊技ユニットを外本体１００から取り外す。なお、前記把手口４２２は遊技ユニットの重心のほぼ真上に位置しているため、安定して持つことができる。なお、新たな遊技ユニットをを外本体１００の開口１０９の内部に収納固定する手順は逆となる。
【０１０３】
［スロットマシンに配備される電気系統］
次に、スロットマシン１に配備される電気系統について説明する。スロットマシン１の制御構成は、図４２乃至図４４に示すように、遊技ユニット側に配備された主制御基板４０９及び周辺制御基板７５０から構成されており、各種制御が分担されている。図４２は遊技ユニット（図１１の分解斜視図に示されているように図柄変動表示装置３００＋ケース部材４００＋画像表示体５００よりなる）側に配備された主制御基板４０９及び本体側（外本体１００の背板１０４に配設された配線中継部材１１３）に配備された主中継基板１２２のブロック図である。また、図４５は、配線中継部材１１３に収納される主中継基板１２２及び周辺中継基板１２３の正面図である。
【０１０４】
［主中継基板１２２］
主中継基板１２２は、図４５に示すように、電源基板１１２ｓとの接続用のコネクタＣＮ１（以下、主中継基板１２２のコネクタＣＮ１という）と、主制御基板４０９に繋がっているハーネス付きコネクタ４２５（図１６−１参照）と接続されるコネクタ１２４（図１４及び図１５参照、以下、主中継基板１２２のコネクタＣＮ２という）と、後述の扉形前面部材２００の裏面に配備される主扉中継基板８５０と接続されるコネクタＣＮ３（以下、主中継基板１２２のコネクタＣＮ３という）と、遊技場（ホール）に設置されたホールコンピュータ（図示せず）に対してスロットマシン１の遊技情報を出力するために中継する外部中継端子板１３１（図１参照）と接続されるコネクタＣＮ４（以下、主中継基板１２２のコネクタＣＮ４という）と、メダル払出装置１１０と接続されるコネクタＣＮ５（以下、主中継基板１２２のコネクタＣＮ５という）と、メダル補助収納箱１１１の内部に配設されたメダル補助収納庫スイッチ１１１ａと接続されるコネクタＣＮ６（以下、主中継基板１２２のコネクタＣＮ６という）と、扉開放検知スイッチ２２０と接続されるコネクタＣＮ７（以下、主中継基板１２２のコネクタＣＮ７という）とを備えている。主中継基板１２２は、単純に各種信号や電源電圧を素通りさせる中継（中継入力又は中継出力）の役割を果たす。なお、以下の説明では、基板毎にコネクタがあるので、符号「ＣＮ」は異なる基板で重複することがある。
【０１０５】
図４２の電源基板１１２ｓは、ＡＣ２４Ｖ（２つの端子）を入力として、主制御基板４０９のメモリのバックアップ電源や各種の直流作動電源（＋３０Ｖ電源、＋１２Ｖ電源、＋２４Ｖ電源）を生成し、主中継基板１２２のコネクタＣＮ１に供給する。なお、符号ＦＧ（１つの端子）は、図示しない電源ハーネスを介して遊技島設備のアースに接続される。また、筐体ＦＧ端子（１つの端子）は、遊技機本体の金属部分にアースとして接続される。
【０１０６】
図４６は、主中継基板１２２のコネクタＣＮ１、ＣＮ４、ＣＮ５、ＣＮ６及びＣＮ７のピン数及び各ピンによって伝達される信号を示す図である。図４２及び図４６に示すように、主中継基板１２２のコネクタＣＮ１（対電源基板１１２ｓ）は１２ピンで構成されている。コネクタＣＮ１の１番ピン〜５番ピンは何れもグランドＧＮＤの中継入力である。６番ピンはバックアップ電源（−）（０Ｖ）の中継入力であり、７番ピン及び８番ピンは＋３０Ｖ電源の中継入力であり、９番ピン及び１０番ピンはいずれも＋１２Ｖ電源の中継入力であり、１１番ピンは＋２４Ｖ電源の中継入力であり、１２番ピンはバックアップ電源（＋）（＋５Ｖ）の中継入力である。
【０１０７】
主中継基板１２２のコネクタＣＮ４（対外部中継端子板１３１）は１０ピンで構成されている。コネクタＣＮ４の１番ピンは外部信号５の中継出力、２番ピンは外部信号４の中継出力、３番ピンは外部信号３の中継出力、４番ピンは外部信号２の中継出力、５番ピンは外部信号１の中継出力である。また、コネクタＣＮ４の６番ピンはメダル払出信号の中継出力であり、７番ピンはメダル投入信号の中継出力である。さらに、コネクタＣＮ４の８番ピン〜１０番ピンは何れも＋２４Ｖ電源の中継出力である。
【０１０８】
主中継基板１２２のコネクタＣＮ５（対メダル払出装置１１０）は５ピンで構成されている。コネクタＣＮ５の１番ピンはＳ＋５Ｖ（センサ用＋５Ｖ電源を意味する、以下、センサ用＋５Ｖ電源という）の中継出力であり、２番ピンは遊技メダル払出カウントスイッチ信号の中継入力であり、３番ピンはグランドＧＮＤであり、４番ピンは遊技メダル払出ドライブ１の中継出力であり、５番ピンは遊技メダル払出ドライブ２の中継出力である。  
【０１０９】
主中継基板１２２のコネクタＣＮ６（対メダル補助収納庫スイッチ１１１ａ）は２ピンで構成されている。コネクタＣＮ５の１番ピンはオーバーフロースイッチ（メダル補助収納庫スイッチ１１１ａ）の信号の中継入力であり、２番ピンはグランドＧＮＤである。また、主中継基板１２２のコネクタＣＮ７（対扉開放検知スイッチ２２０）は２ピンで構成されている。コネクタＣＮ７の１番ピンは扉開放検知スイッチ２２０の信号の中継入力であり、２番ピンはグランドＧＮＤである。
【０１１０】
図４７は、主中継基板１２２のコネクタＣＮ３のピン数及び各ピンによって伝達される信号を示す図である。図４２及び図４７に示すように、主中継基板１２２のコネクタＣＮ３は３０ピンで構成され、主扉中継基板８５０に接続されている。図４２において一点鎖線で囲われている「ドアブロック」で示されるように、主扉中継基板８５０及び主扉中継基板８５０にコネクタ接続されているメダルセレクタ２０７、貯留メダル精算ボタン２０９、ＭＡＸベットボタン２０６、１ベットボタン２０５、始動レバー２１０、リール停止ボタン２１１（２１１ａ〜２１１ｃ）及び打止め解除／エラー解除スイッチ２１５ｃは扉形前面部材２００に配設されている。
【０１１１】
図５１は、スロットマシン１の扉形前面部材２００の裏面図である。扉形前面部材２００は、スロットマシンの外本体１００（図１参照）の前面に横開きの扉状に回動可能に取り付けられている。図５１に示すように、扉形前面部材２００の裏面の略中央には、内部に主扉中継基板（図示せず）と扉装飾駆動基板（図示せず）を収納した扉基板収納ケース８００が配設されている。
【０１１２】
また、図５２は扉基板収納ケース８００の斜視図である。図５２に示すように、扉基板収納ケース８００は、内部に扉装飾駆動基板８６０（符号のみ図示）を収納した四角形状をなした扉装飾駆動基板収納部分８０１の側部に、扉装飾駆動基板よりも小型の四角形状で、内部に主扉中継基板８５０（符号のみ図示）を収納した主扉中継基板収納部分８０２が一体に形成されている。
【０１１３】
図４２に示すように、主扉中継基板８５０にはメダルセレクタ２０７、貯留メダル精算ボタン２０９、ＭＡＸベットボタン２０６、１ベットボタン２０５、始動レバー２１０、リール停止ボタン２１１（左リール停止ボタン２１１ａ、中リール停止ボタン２１１ｂ、右リール停止ボタン２１１ｃ）、打止め解除／エラー解除スイッチ２１５ｃが接続されている。
【０１１４】
図５２において、符号８０３は扉基板収納ケース８００の上面全体を覆う収納ケースカバー８０３であり、主扉中継基板収納部分８０２の収納ケースカバー８０３の外面に、メダルセレクタ２０７に接続されたハーネス付きコネクタを接続するメダルセレクタ用接続コネクタ８５１（図４２に示すように１０ピンで構成）と、貯留メダル精算ボタン２０９に接続されたハーネス付きコネクタを接続する貯留メダル精算ボタン用接続コネクタ８５２（図４２に示すように２ピンで構成）と、ＭＡＸベットボタン２０６に接続されたハーネス付きコネクタを接続するＭＡＸベットボタン用接続コネクタ８５３（図４２に示すように４ピンで構成）と、１ベットボタン２０５に接続されたハーネス付きコネクタを接続する１ベットボタン用接続コネクタ８５４（図４２に示すように２ピンで構成）と、始動レバー２１０に接続されたハーネス付きコネクタを接続する始動レバー用接続コネクタ８５５（図４２に示すように３ピンで構成）と、リール停止ボタン２１１に接続されたハーネス付きコネクタを接続するリール停止ボタン用接続コネクタ８５６（図４２に示すように８ピンで構成）と、打止め解除／エラー解除スイッチ２１５ｃに接続されたハーネス付きコネクタを接続する打止め解除／エラー解除スイッチ用接続コネクタ８５７（図４２に示すように２ピンで構成）と、主として主扉中継基板８５０から本体側の主中継基板１２２へ各信号を送出する対本体接続コネクタ部材８５８（３０ピン雌型で構成）とが露出した状態で配設されている。
【０１１５】
主扉中継基板８５０と主中継基板１２２との接続は、主扉中継基板８５０の対本体接続コネクタ部材８５８（ＣＮ１）に対応接続するコネクタ部材を一端に備えた対本体接続用ハーネス付きコネクタ（従来より周知の接続部材であるため図示せず）を用いて行われ、主扉中継基板８５０の対本体接続コネクタ部材８５８（ＣＮ１）に対本体接続用ハーネス付きコネクタの一端を接続し、主中継基板１２２のコネクタＣＮ３（図４２参照）に対本体接続用ハーネス付きコネクタ９００（図１４参照）の他端を接続する。
【０１１６】
図４７に示すように、主中継基板１２２のコネクタＣＮ３の１番ピンは＋２４Ｖ電源の中継出力であり、２番ピンはメダルセレクタ２０７のロックアウトソレノイドへの駆動信号の中継出力であり、３番ピンはグランドＧＮＤである。４番ピンはメダルセレクタ２０７のメダル通過センサ用＋５Ｖ電源の中継出力であり、５番ピンはメダルセレクタ２０７のメダル通過センサ（メダル投入スイッチ１）信号の中継入力であり、６番ピンはメダルセレクタ２０７のメダル通過センサ（メダル投入スイッチ２）信号の中継入力であり、７番ピンはメダルセレクタ２０７のメダル投入レバー検知スイッチの信号の中継入力であり、８番ピンはグランドＧＮＤである。
【０１１７】
９番ピンは貯留メダル精算ボタン２０９（貯留メダル精算スイッチ）のスイッチ信号の中継入力であり、１０番ピンはグランドＧＮＤである。１１番ピンはセンサ用＋５Ｖ電源の中継出力であり、１２番ピンはＭＡＸベットボタン２０６（貯留メダル投入スイッチ２）のスイッチ信号の中継入力であり、１３番ピンは貯留メダル投入スイッチＬＥＤの点灯信号の中継出力であり、１４番ピンはグランドＧＮＤである。１５番ピンはセンサ用＋５Ｖ電源の中継出力であり、１６番ピンは１ベットボタン２０５（貯留メダル投入スイッチ１）のスイッチ信号の中継入力であり、１７番ピンはグランドＧＮＤである。１８番ピンは始動レバー２１０（回胴回転始動装置）のレバーセンサのセンサ用＋５Ｖ電源の中継出力であり、１９番ピンはグランドＧＮＤであり、２０番ピンは始動レバー２１０（回胴回転始動装置）のレバーセンサ信号の中継入力である。
【０１１８】
２１番ピンは第１回胴に対応した左リール停止ボタン２１１ａの信号の中継入力であり、２２番ピンは第２回胴に対応した中リール停止ボタン２１１ｂの信号の中継入力であり、２３番ピンは第３回胴に対応した右リール停止ボタン２１１ｃの信号の中継入力であり、２４番ピンはグランドＧＮＤである。２５番ピンはセンサ用＋５Ｖ電源の中継出力であり、２６番ピンは停止ボタンＬＥＤ１の点灯信号の中継出力であり、２７番ピンは停止ボタンＬＥＤ２の点灯信号の中継出力であり、２８番ピンは停止ボタンＬＥＤ３の点灯信号の中継出力である。２９番ピンはセンサ用＋５Ｖ電源の中継出力であり、３０番ピンはリセットスイッチ（打止め解除／エラー解除スイッチ２１５ｃ）の信号の中継入力である。
【０１１９】
［主中継基板１２２と主制御基板４０９とのコネクタ接続］
図４２に示すように、主中継基板１２２のコネクタＣＮ２は主制御基板４０９のコネクタＣＮ１と接続される（図１５のコネクタ１２４と図１６−１のハーネス４２４付きのコネクタ４２５との接続を介して接続される）。主中継基板１２２のコネクタＣＮ２及び主制御基板４０９のコネクタＣＮ１は、６４ピンで構成されている。
【０１２０】
図４８は、主中継基板１２２のコネクタＣＮ２のピン数及び各ピンによって伝達される信号を示す図であり、図４９は、主制御基板４０９のコネクタＣＮ１のピン数及び各ピンによって伝達される信号を示す図である。なお、図４８の主中継基板１２２のコネクタＣＮ２のピン番号と図４９の主制御基板４０９のコネクタＣＮ１のピン番号とは同一の番号同士が対応している。
【０１２１】
主制御基板４０９のコネクタＣＮ１の１番ピンは外部信号５の出力であり、主中継基板１２２のコネクタＣＮ２の１番ピンは外部信号５の中継入力である。主制御基板４０９のコネクタＣＮ１の２番ピンは外部信号４の出力であり、主中継基板１２２のコネクタＣＮ２の２番ピンは外部信号４の中継入力である。主制御基板４０９のコネクタＣＮ１の３番ピンは外部信号３の出力であり、主中継基板１２２のコネクタＣＮ２の３番ピンは外部信号３の中継入力である。主制御基板４０９のコネクタＣＮ１の４番ピンは外部信号２の出力であり、主中継基板１２２のコネクタＣＮ２の４番ピンは外部信号２の中継入力である。主制御基板４０９のコネクタＣＮ１の５番ピンは外部信号１の出力であり、主中継基板１２２のコネクタＣＮ２の５番ピンは外部信号１の中継入力である。
【０１２２】
主制御基板４０９のコネクタＣＮ１の６番ピンはメダル払出信号出力であり、主中継基板１２２のコネクタＣＮ２の６番ピンはメダル払出信号の中継入力である。主制御基板４０９のコネクタＣＮ１の７番ピンはメダル投入信号出力であり、主中継基板１２２のコネクタＣＮ２の７番ピンはメダル投入信号の中継入力である。主制御基板４０９のコネクタＣＮ１の８番ピンはグランドＧＮＤであり、主中継基板１２２のコネクタＣＮ２の８番ピンもグランドＧＮＤである。主制御基板４０９のコネクタＣＮ１の９番ピンは遊技メダル払出カウントスイッチ信号の入力であり、主中継基板１２２のコネクタＣＮ２の９番ピンは遊技メダル投払出カウントスイッチ信号の中継出力である。主制御基板４０９のコネクタＣＮ１の１０番ピンはグランドＧＮＤであり、主中継基板１２２のコネクタＣＮ２の１０番ピンもグランドＧＮＤである。
【０１２３】
主制御基板４０９のコネクタＣＮ１の１１番ピン及び１２番ピンは遊技メダル払出装置ドライブ１の出力であり、主中継基板１２２のコネクタＣＮ２の１１番ピン及び１２番ピンは遊技メダル払出装置ドライブ１の中継入力である。主制御基板４０９のコネクタＣＮ１の１３番ピン及び１４番ピンは遊技メダル払出装置ドライブ２の出力であり、主中継基板１２２のコネクタＣＮ２の１３番ピン及び１４番ピンは遊技メダル払出装置ドライブ２の中継入力である。
【０１２４】
主制御基板４０９のコネクタＣＮ１の１５番ピンはグランドＧＮＤであり、主中継基板１２２のコネクタＣＮ２の１５番ピンもグランドＧＮＤである。主制御基板４０９のコネクタＣＮ１の１６番ピンはオーバーフロースイッチ信号（メダル補助収納庫スイッチ１１１ａのスイッチ信号）の入力であり、主中継基板１２２のコネクタＣＮ２の１６番ピンはオーバーフロースイッチ信号の中継出力である。主制御基板４０９のコネクタＣＮ１の１７番ピンは扉開放検知スイッチ信号の入力であり、主中継基板１２２のコネクタＣＮ２の１７番ピンは扉開放検知スイッチ信号の中継出力である。主制御基板４０９のコネクタＣＮ１の１８番ピン〜２３番ピンは何れもグランドＧＮＤであり、主中継基板１２２のコネクタＣＮ２の１８番ピン〜２３番ピンも何れもグランドＧＮＤである。
【０１２５】
主制御基板４０９のコネクタＣＮ１の２４番ピンはメダルセレクタ２０７のロックアウトソレノイドへの駆動信号の出力であり、主中継基板１２２のコネクタＣＮ２の２４番ピンはメダルセレクタ２０７のロックアウトソレノイドへの駆動信号の中継入力である。主制御基板４０９のコネクタＣＮ１の２５番ピンはメダルセレクタ２０７のメダル投入スイッチ１信号の入力であり、主中継基板１２２のコネクタＣＮ２の２５番ピンはメダルセレクタ２０７のメダル投入スイッチ１信号の中継出力である。主制御基板４０９のコネクタＣＮ１の２６番ピンはメダルセレクタ２０７のメダル投入スイッチ２信号の入力であり、主中継基板１２２のコネクタＣＮ２の２６番ピンはメダルセレクタ２０７のメダル投入スイッチ２信号の中継出力である。主制御基板４０９のコネクタＣＮ１の２７番ピンはメダルセレクタ２０７のメダル投入レバー検知スイッチ信号の入力であり、主中継基板１２２のコネクタＣＮ２の２７番ピンはメダルセレクタ２０７のメダル投入レバー検知スイッチ信号の中継出力である。主制御基板４０９のコネクタＣＮ１の２８番ピンは貯留メダル精算スイッチ信号（貯留メダル精算ボタン２０９）の入力であり、主中継基板１２２のコネクタＣＮ２の２８番ピンは貯留メダル精算スイッチ信号の中継出力である。
【０１２６】
主制御基板４０９のコネクタＣＮ１の２９番ピンは貯留メダル投入スイッチ１信号（１ベットボタン２０５）の入力であり、主中継基板１２２のコネクタＣＮ２の２９番ピンは貯留メダル投入スイッチ１信号の中継出力である。主制御基板４０９のコネクタＣＮ１の３０番ピンは貯留メダル投入スイッチ２信号（ＭＡＸベットボタン２０６）の入力であり、主中継基板１２２のコネクタＣＮ２の３０番ピンは貯留メダル投入スイッチ２信号の中継出力である。主制御基板４０９のコネクタＣＮ１の３１番ピンは始動レバー２１０（回胴回転始動装置）のレバーセンサ信号の入力であり、主中継基板１２２のコネクタＣＮ２の３１番ピンは始動レバー２１０（回胴回転始動装置）のレバーセンサ信号の中継出力である。
【０１２７】
主制御基板４０９のコネクタＣＮ１の３２番ピンはリセットスイッチ（打止め解除／エラー解除スイッチ２１５ｃ）の信号の入力であり、主中継基板１２２のコネクタＣＮ２の３２番ピンはリセットスイッチ（打止め解除／エラー解除スイッチ２１５ｃ）の信号の中継出力である。主制御基板４０９のコネクタＣＮ１の３３番ピンは第１回胴に対応した左リール停止ボタン２１１ａの信号の入力であり、主中継基板１２２のコネクタＣＮ２の３３番ピンは第１回胴に対応した左停止ボタン２１１ａの信号の中継出力である。主制御基板４０９のコネクタＣＮ１の３４番ピンは第２回胴に対応した中リール停止ボタン２１１ｂの信号の入力であり、主中継基板１２２のコネクタＣＮ２の３４番ピンは第２回胴に対応した中リール停止ボタン２１１ｂの信号の中継出力である。主制御基板４０９のコネクタＣＮ１の３５番ピンは第３回胴に対応した右リール停止ボタン２１１ｃの信号の入力であり、主中継基板１２２のコネクタＣＮ２の３５番ピンは第３回胴に対応した右リール停止ボタン２１１ｃの信号の中継出力である。
【０１２８】
主制御基板４０９のコネクタＣＮ１の３６番ピンは停止ボタンＬＥＤ１の点灯信号の出力であり、主中継基板１２２のコネクタＣＮ２の３６番ピンは停止ボタンＬＥＤ１の点灯信号の中継入力である。主制御基板４０９のコネクタＣＮ１の３７番ピンは停止ボタンＬＥＤ２の点灯信号の出力であり、主中継基板１２２のコネクタＣＮ２の３７番ピンは停止ボタンＬＥＤ２の点灯信号の中継入力である。主制御基板４０９のコネクタＣＮ１の３８番ピンは停止ボタンＬＥＤ３の点灯信号の出力であり、主中継基板１２２のコネクタＣＮ２の３８番ピンは停止ボタンＬＥＤ３の点灯信号の中継入力である。主制御基板４０９のコネクタＣＮ１の３９番ピンは貯留メダル投入スイッチＬＥＤの点灯信号の出力であり、主中継基板１２２のコネクタＣＮ２の３９番ピンは貯留メダル投入スイッチＬＥＤの点灯信号の中継入力である。
【０１２９】
主制御基板４０９のコネクタＣＮ１の４０番ピンはバックアップ電源（−）（０Ｖ）の入力であり、主中継基板１２２のコネクタＣＮ２の４０番ピンはバックアップ電源（−）（０Ｖ）の中継出力である。主制御基板４０９のコネクタＣＮ１の４１番ピンはＳ＋５Ｖ（センサ用＋５Ｖ電源）の出力であり、主中継基板１２２のコネクタＣＮ２の４１番ピンはＳ＋５Ｖ（センサ用＋５Ｖ電源）の中継入力である。主制御基板４０９のコネクタＣＮ１の４２番ピンはバックアップ電源（＋）（＋５Ｖ）の入力であり、主中継基板１２２のコネクタＣＮ２の４２番ピンはバックアップ電源（＋）（＋５Ｖ）の中継出力である。
【０１３０】
主制御基板４０９のコネクタＣＮ１の４３番ピン〜４９番ピンは何れもグランドＧＮＤであり、主中継基板１２２のコネクタＣＮ２の４３番ピン〜４９番ピンも何れもグランドＧＮＤである。また、主制御基板４０９のコネクタＣＮ１の５０番ピン〜５６番ピンは何れも＋１２Ｖ電源の入力であり、主中継基板１２２のコネクタＣＮ２の５０番ピン〜５６番ピンは何れも＋１２Ｖ電源の中継出力である。
【０１３１】
主制御基板４０９のコネクタＣＮ１の５７番ピン〜６０番ピンは何れもグランドＧＮＤであり、主中継基板１２２のコネクタＣＮ２の５７番ピン〜６０番ピンも何れもグランドＧＮＤである。また、主制御基板４０９のコネクタＣＮ１の６１番ピン〜６４番ピンは何れも＋３０Ｖ電源の入力であり、主中継基板１２２のコネクタＣＮ２の６１番ピン〜６４番ピンは何れも＋３０Ｖ電源の中継出力である。
【０１３２】
［主制御基板］
図４３は遊技ユニット側に配備された主制御基板４０９及び周辺制御基板７５０のブロック図である。図４３に示すように、主制御基板４０９には、前述の主中継基板１２２が接続される他、１２ピンで構成されるコネクタにより遊技状態表示基板４５０が接続され、２４ピンで構成されるコネクタを介してリール主中継基板３１２が接続され、１個が８ピンで構成されるコネクタ２個により機能分離中継端子板４４１が接続されている。なお、図示されていないが、遊技状態表示基板４５０にはクレジット表示部、ゲーム数表示部、払出枚数表示部、メダルインランプ、スタートランプ、ベットランプ、ボーナスフラグ告知ランプ等が設けられている。リール主中継基板３１２には、左リール３０１ａに対応したリールモータ中継基板が８ピンで構成されるコネクタを介して接続され、中リール３０１ｂに対応したリールモータ中継基板が８ピンで構成されるコネクタを介して接続され、右リール３０１ｃに対応したリールモータ中継基板が８ピンで構成されるコネクタを介して接続されている。
【０１３３】
主制御基板４０９は、図示していないが、マイクロプロセッサとしての主制御ＭＰＵ、入出力デバイス（Ｉ／Ｏデバイス）としての主制御Ｉ／Ｏポート、上述した、左リール駆動モータ３０３ａ、中リール駆動モータ３０３ｂ及び右リール駆動モータ３０３ｃに駆動信号を出力するドライブ回路、スロットマシン１の設定（例えば、設定１〜６）を変更する設定キー（鍵穴）、設定スイッチ／エラー解除、打止有無スイッチ、精算有無スイッチ等を備えて構成されている。主制御ＭＰＵには、各種処理プログラムや各種コマンドを記憶するＲＯＭと、一時的にデータを記憶するＲＡＭとが内蔵されており、その動作（システム）を監視するウォッチドックタイマや不正を防止するための機能等も内蔵されている。
【０１３４】
主制御ＭＰＵは、上述した、１ベットボタン２０５、ＭＡＸベットボタン２０６、貯留メダル精算ボタン２０９、始動レバー２１０、リール停止ボタン２１１（左リール停止ボタン２１１ａ、中リール停止ボタン２１１ｂ、右リール停止ボタン２１１ｃ）、メダルセレクタ２０７（ロックアウトソレノイド、通過センサ、レバーセンサ）、扉開放検知スイッチ２２０、メダル払出装置１１０の遊技メダル払出カウントスイッチ及びメダル用補助収納箱１１１のメダル補助収納庫スイッチ１１１ａからの検出信号が主制御Ｉ／Ｏポートを介して入力されており、これらの検出信号に基づいて、ロックアウトソレノイド、クレジット表示部、ゲーム数表示部、払出枚数表示部、メダルインランプ、スタートランプ、ベットランプ、ボーナスフラグ告知ランプ及びメダル払出装置１１０の駆動手段への駆動信号を、主制御Ｉ／Ｏポートを介して、出力する。
【０１３５】
また、主制御ＭＰＵは、主制御Ｉ／Ｏポート及びリール主中継基板３１２、各リールモータ中継基板を介して左リール３０１ａ、中リール３０１ｂ及び右リール３０１ｃをそれぞれ回転させる左リール駆動モータ３０３ａ、中リール駆動モータ３０３ｂ及び右リール駆動モータ３０３ｃへの駆動信号を出力したり、左リール３０１ａ、中リール３０１ｂ及び右リール３０１ｃの原位置をそれぞれ検出する左リール位置センサ、中リール位置センサ及び右リール位置センサからの検出信号が入力されたりする。
【０１３６】
主制御ＭＰＵは、主制御Ｉ／Ｏポートを介して、設定スイッチ／エラー解除、打止有無スイッチ、精算有無スイッチ、打止め解除／エラー解除スイッチ２１５ｃからの信号が入力されたり、メダル払出信号、メダル投入信号や遊技ステータス等を外部中継端子板１３１に出力したりする。
【０１３７】
「設定スイッチ／エラー解除」
設定スイッチ／エラー解除は設走キーの状況によって役割が変わる。設定キーがＯＦＦのときは（遊技可能状態）、エラー解除スイッチとして機能する。一方、設定キーがＯＮのときは（設定変更状態）、設定スイッチとして機能する。
【０１３８】
［設定キーと設定スイッチ／エラー解除］
次に、スロットマシン１の設定の変更手順について説明する。まず、スロットマシン１を電源ＯＦＦの状態とし、その状態で設定キースイッチを操作する。詳しくは、設定キースイッチに所定のキーを差し込んでキーを右へ９０度回転させる。次に、設定キースイッチにキーが差し込まれた状態でスロットマシン１を電源ＯＮにする。電源ＯＮは、電源ユニットの電源スイッチを操作することによって行なう。電源ＯＮにすると、現在のスロットマシン１の設定がクレジット表示部に表示される（例えば、設定１の場合にはクレジット表示部に「１」が表示される）。次に、設定スイッチを操作する。設定スイッチを操作すると、クレジット表示部に表示されていた設定値に１が加算された数値が表示される。但し、表示されている数値が６の場合は、加算されずに表示される値が１に戻る。このように設定スイッチを操作して、クレジット表示部に所望の設定の値が表示されると、始動レバー２１０を操作する。始動レバー２１０を操作することによって、設定が確定する。キースイッチを左へ９０度回転させ、設定キースイッチに差し込まれているキーを抜く。そして、次に電源投入されたときには、先ほど設定した設定値で遊技機が動作する。
【０１３９】
［打止め有無スイッチ］
まず、「打止め」とはボーナスゲームが終了した後にメダルを受け付けない状態にすることである。打止め有無スイッチはボーナスゲームが終了した後に「打止め」にするか、それとも継続してゲームを行うことを許容するかを決定するスイッチである。
【０１４０】
［精算有無スイッチ］
「精算」とはボーナスゲームが終了した後にクレジットを精算、つまりクレジット分のメダルを払い出すことを意味する。精算有無スイッチは、ボーナスゲームが終了した後に「精算」にするか、それとも「精算」しないかを決定するスイッチである。
【０１４１】
外部中継端子板１３１は、遊技場（ホール）に設置されたホールコンピュータと電気的に接続されている。このホールコンピュータは、メダル投入信号によりスロットマシン１に投入されたメダルの枚数を把握し、メダル払出信号によりスロットマシン１が払い出したメダルの枚数を把握し、遊技ステータスによりスロットマシン１の遊技状態等を把握することによって、計数管理を行っている。
【０１４２】
図４３において、主制御基板４０９には、１つが８ピンで構成されるコネクタ２つにより機能分離中継端子板４４１が接続されている。また、機能分離中継端子板４４１には、１つが８ピンで構成されるコネクタ２つにより後述する周辺制御基板７５０が接続されている。なお、矢印のついていない８ピンで構成されるコネクタは電源中継用であり、グランドＧＮＤが４ピン、＋１２Ｖ電源が２ピン、＋３０Ｖ電源が２ピンで構成されている。また、主制御基板４０９→機能分離中継端子板４４１→周辺制御基板７５０というように、矢印付きで示される８ピンで構成されるコネクタは遊技に関する各種コマンド送信用であり、パラレルデータ（コマンド）Ｄ０〜Ｄ３の４ピン、ＳＥＬ（セレクト信号）が１ピン、ＷＲ（ライト信号）が１ピン、停電予告信号が１ピン、グランドＧＮＤが１ピンで構成されている。主制御ＭＰＵは、遊技に関する各種コマンドを、主制御Ｉ／Ｏ及び機能分離中継端子板４４１を介して、後述する周辺制御基板７５０に送信するようになっている。
【０１４３】
［周辺制御基板７５０］
周辺制御基板７５０は、図示していないが、マイクロプロセッサとしての周辺制御ＭＰＵ、各種処理プログラムや各種コマンドを記憶する周辺制御ＲＯＭ、画像表示体５００を表示制御するＶＤＰ（Ｖｉｄｅｏ  Ｄｉｓｐｌａｙ  Ｐｒｏｃｅｓｓｏｒの略）、１５．９液晶モジュール５００ｂに表示する各種画像を記憶する画像ＲＯＭ、高音質の演奏を行う音源ＩＣ、この音源ＩＣが参照する音楽及び効果音等の音情報が記憶されている音ＲＯＭを備えて構成されている。前記周辺制御ＭＰＵは、パラレル入出力ポート及びシリアル入出力ポート等の各種入出力ポートを内蔵している。
【０１４４】
周辺制御基板７５０には、前述の機能分離中継端子板４４１が２個の８ピンで構成されたコネクタで接続される他、２ピンで構成されるコネクタによりリール照明ＬＥＤ基板（上）５０３ａが接続され、２ピンで構成されるコネクタによりリール照明ＬＥＤ基板（下）５０３ｂが接続され、１２ピンで構成されるコネクタを介してリール周辺中継基板３１７が接続されている。リール周辺中継基板３１７には、左リール３０１ａ（第１回胴）に対応したバックライト中継基板が４ピンで構成されるコネクタを介して接続され、さらに該バックライト中継基板に第１回胴を背後から照明する発光体を備えたバックライト基板がコネクタ接続されている。同様に、リール周辺中継基板３１７に、中リール３０１ｂ（第２回胴）に対応したバックライト中継基板が４ピンで構成されるコネクタを介して接続され、さらに該バックライト中継基板に第２回胴を背後から照明する発光体を備えたバックライト基板がコネクタ接続されている。また、リール周辺中継基板３１７に、右リール３０１ｃ（第３回胴）に対応したバックライト中継基板が４ピンで構成されるコネクタを介して接続され、さらに該バックライト中継基板に第３回胴を背後から照明する発光体を備えたバックライト基板がコネクタ接続されている。
【０１４５】
また、周辺制御基板７５０には、３ピンで構成されるコネクタにより液晶インバータ基板５００ａが接続され、２０ピンで構成されるコネクタにより１５．９液晶モジュール５００ｂが接続され、２ピンで構成されるコネクタにより画像表示体５００のファンモータ５００ｃが接続されている。さらに、液晶インバータ基板５００ａと１５．９液晶モジュール５００ｂとが３ピンで構成されるコネクタによって接続され、液晶インバータ基板５００ａは＋３０Ｖ電源を入力として＋２００Ｖ程度のバックライト用作動電圧を生成し、前記１５．９液晶モジュール５００ｂに与える。
【０１４６】
［周辺制御基板７５０と周辺中継基板１２３とのコネクタ接続］
図４４は遊技ユニット側に配備された周辺制御基板７５０及び本体側（外本体１００の背板１０４に配設された配線中継部材１１３）に配備された周辺中継基板１２３のブロック図である。周辺制御基板７５０と周辺中継基板１２３とは、２０ピンで構成されるコネクタ接続により接続されている。また、周辺中継基板１２３は、先に示した図４５に示されている。
【０１４７】
［周辺中継基板１２３］
周辺中継基板１２３は、図４５に示すように、周辺制御基板７５０に繋がっているハーネス付きコネクタ４２７（図１６−１参照）と接続されるコネクタ１２５（図１４及び図１５参照、以下、周辺中継基板１２３のコネクタＣＮ１という）と、後述の扉形前面部材２００の裏面に配備される扉装飾駆動基板８６０と接続されるコネクタＣＮ２（以下、周辺中継基板１２３のコネクタＣＮ２という）と、低音スピーカ（図１の外本体１００内部の下部に配置されているメダル払出装置１１０の後方位置において背板１０４に配設されているスピーカ、図２５参照）と接続されるコネクタＣＮ３（以下、周辺中継基板１２３のコネクタＣＮ３という）とを備えている。周辺中継基板１２３は、単純に各種信号や電源電圧を素通りさせる中継（中継入力又は中継出力）の役割を果たす。
【０１４８】
図４４に示すように、周辺中継基板１２３のコネクタＣＮ１は周辺制御基板７５０のコネクタＣＮ３と接続される（図１５のコネクタ１２５と図１６−１のハーネス４２６付きのコネクタ４２７との接続を介して接続される）。周辺中継基板１２３のコネクタＣＮ１及び周辺制御基板７５０のコネクタＣＮ３は、２０ピンで構成されている。
【０１４９】
図５０は、周辺制御基板７５０のコネクタＣＮ３のピン数及び各ピンによって伝達される信号と、周辺中継基板１２３のコネクタＣＮ１のピン数及び各ピンによって伝達される信号と、周辺中継基板１２３のコネクタＣＮ２並びにコネクタＣＮ３のピン数及び各ピンによって伝達される信号とを示す図である。
【０１５０】
周辺制御基板７５０のコネクタＣＮ３の１番ピンは−ＳＰＫ−Ｗ２であり（低音スピーカ２２１のウーハＷ２用のマイナス出力であり）、周辺中継基板１２３のコネクタＣＮ１の１番ピンは−ＳＰＫ−Ｗ２の中継入力である（低音スピーカ２２１のウーハＷ２用のマイナス中継入力である）。周辺制御基板７５０のコネクタＣＮ３の２番ピンは＋ＳＰＫ−Ｗ２であり（低音スピーカ２２１のウーハＷ２用のプラス出力であり）、周辺中継基板１２３のコネクタＣＮ１の２番ピンは＋ＳＰＫ−Ｗ２の中継入力である（低音スピーカ２２１のウーハＷ２用のプラス中継入力である）。
【０１５１】
周辺制御基板７５０のコネクタＣＮ３の３番ピンは−ＳＰＫ−Ｗ１であり（低音スピーカ２２１のウーハＷ１用のマイナス出力であり）、周辺中継基板１２３のコネクタＣＮ１の３番ピンは−ＳＰＫ−Ｗ１の中継入力である（低音スピーカ２２１のウーハＷ１用のマイナス中継入力である）。周辺制御基板７５０のコネクタＣＮ３の４番ピンは＋ＳＰＫ−Ｗ１であり（低音スピーカ２２１のウーハＷ１用のプラス出力であり）、周辺中継基板１２３のコネクタＣＮ１の４番ピンは＋ＳＰＫ−Ｗ１の中継入力である（低音スピーカ２２１のウーハＷ１用のプラス中継入力である）。
【０１５２】
周辺制御基板７５０のコネクタＣＮ３の５番ピンは−ＳＰＫ−Ｌであり（左スピーカ２０１ａのマイナス出力であり）、周辺中継基板１２３のコネクタＣＮ１の５番ピンは−ＳＰＫ−Ｌの中継入力である（左スピーカ２０１ａのマイナス中継入力である）。周辺制御基板７５０のコネクタＣＮ３の６番ピンは＋ＳＰＫ−Ｌであり（左スピーカ２０１ａのプラス出力であり）、周辺中継基板１２３のコネクタＣＮ１の６番ピンは＋ＳＰＫ−Ｌの中継入力である（左スピーカ２０１ａのプラス中継入力である）。
【０１５３】
周辺制御基板７５０のコネクタＣＮ３の７番ピンは−ＳＰＫ−Ｒであり（右スピーカ２０１ｂのマイナス出力であり）、周辺中継基板１２３のコネクタＣＮ１の７番ピンは−ＳＰＫ−Ｒの中継入力である（右スピーカ２０１ｂのマイナス中継入力である）。周辺制御基板７５０のコネクタＣＮ３の８番ピンは＋ＳＰＫ−Ｒであり（右スピーカ２０１ｂのプラス出力であり）、周辺中継基板１２３のコネクタＣＮ１の８番ピンは＋ＳＰＫ−Ｒの中継入力である（右スピーカ２０１ｂのプラス中継入力である）。
【０１５４】
周辺制御基板７５０のコネクタＣＮ３の９番ピン及び１０番ピンはグランドＧＮＤであり、周辺中継基板１２３のコネクタＣＮ１の９番ピン及び１０番ピンもグランドＧＮＤである。周辺制御基板７５０のコネクタＣＮ３の１１番ピン及び１２番ピンは＋１２Ｖ電源の出力であり、周辺中継基板１２３のコネクタＣＮ１の１１番ピン及び１２番ピンは＋１２Ｖ電源の中継入力である。
【０１５５】
周辺制御基板７５０のコネクタＣＮ３の１３番ピン及び１４番ピンはグランドＧＮＤであり、周辺中継基板１２３のコネクタＣＮ１の１３番ピン及び１４番ピンもグランドＧＮＤである。
【０１５６】
周辺制御基板７５０のコネクタＣＮ３の１５番ピンはＳ−ＬＡＴＣＨの出力であり（ラッチ信号出力であり）、周辺中継基板１２３のコネクタＣＮ１の１５番ピンはＳ−ＬＡＴＣＨの中継入力である（ラッチ信号の中継入力である）。周辺制御基板７５０のコネクタＣＮ３の１６番ピンはＳ−ＭＯＤＥの出力であり（モード信号出力であり）、周辺中継基板１２３のコネクタＣＮ１の１６番ピンはＳ−ＭＯＤＥの中継入力である（モード信号の中継入力である）。周辺制御基板７５０のコネクタＣＮ３の１７番ピンはＳ−ＣＬＫの出力であり（クロック信号の出力であり）、周辺中継基板１２３のコネクタＣＮ１の１７番ピンはＳ−ＣＬＫの中継入力である（クロック信号の中継入力である）。周辺制御基板７５０のコネクタＣＮ３の１８番ピンはＳ−ＤＡＴＡであり（シリアルの点灯データの出力であり）、周辺中継基板１２３のコネクタＣＮ１の１８番ピンはＳ−ＤＡＴＡの中継入力である（シリアルの点灯データの中継入力である）。
【０１５７】
周辺制御基板７５０のコネクタＣＮ３の１９番ピンはＳＥＬ１であり（セレクト信号１の出力であり）、周辺中継基板１２３のコネクタＣＮ１の１８番ピンはＳＥＬ１の中継入力である（セレクト信号１の中継入力である）。周辺制御基板７５０のコネクタＣＮ３の２０番ピンはＳＥＬ０であり（セレクト信号０の出力であり）、周辺中継基板１２３のコネクタＣＮ１の２０番ピンはＳＥＬ０の中継入力である（セレクト信号０の中継入力である）。
【０１５８】
また、図４４に示すように、周辺中継基板１２３のコネクタＣＮ２は２０ピンで構成され、扉装飾駆動基板８６０に接続されている。図４４において一点鎖線で囲われている「ドアブロック」で示されるように、扉装飾駆動基板８６０、トップ装飾基板８７１、左上装飾基板８７２、左下装飾基板８７３、右上装飾基板８７４、右下装飾基板８７５、下パネル照明点灯基板８７６、Ｌスピーカ（左スピーカ）２０１ａ、Ｒスピーカ（右スピーカ）２０１ｂ及び下パネル照明点灯基板８７６に接続されている下パネル照明８７７は、扉形前面部材２００に配設されている。
【０１５９】
図４４に示すように、扉装飾駆動基板８６０にはトップ装飾基板８７１、左上装飾基板８７２、左下装飾基板８７３、右上装飾基板８７４、右下装飾基板８７５、下パネル照明点灯基板８７６、Ｌスピーカ２０１ａ、Ｒスピーカ２０１ｂが接続されている。このように、扉形前面部材２００に配設された扉側装飾発光体（後述）の点灯駆動を行う扉装飾駆動基板８６０が周辺制御基板７５０とは別体とされて扉形前面部材２００に配設されている。
【０１６０】
図５２に示すように、扉基板収納ケース８００の扉装飾駆動基板収納部分８０１の収納ケースカバー８０３の外面に、トップ装飾基板８７１に接続されたハーネス付きコネクタを接続するトップ装飾基板用接続コネクタ８６１（図４４に示すように１２ピンで構成）と、左上装飾基板８７２に接続されたハーネス付きコネクタを接続する左上装飾基板用接続コネクタ８６２（図４４に示すように１３ピンで構成）と、左下装飾基板８７３に接続されたハーネス付きコネクタを接続する左下装飾基板用接続コネクタ８６３（図４４に示すように６ピンで構成）と、右上装飾基板８７４に接続されたハーネス付きコネクタを接続する右上装飾基板用接続コネクタ８６４（図４４に示すように１３ピンで構成）と、右下装飾基板８７５に接続されたハーネス付きコネクタを接続する右下装飾基板用接続コネクタ８６５（図４４に示すように６ピンで構成）と、下パネル照明点灯基板８７６に接続されたハーネス付きコネクタを接続する下パネル照明点灯基板用接続コネクタ８６６（図４４に示すように２ピンで構成）と、Ｌスピーカ２０１ａに接続されたハーネス付きコネクタを接続するＬスピーカ用接続コネクタ８６７（図４４に示すように２ピンで構成）と、Ｒスピーカ２０１ｂに接続されたハーネス付きコネクタを接続するＲスピーカ用接続コネクタ８６８（図４４に示すように２ピンで構成）と、扉装飾駆動基板８６０から本体側の周辺中継基板１２３へ各信号を送出する対本体接続コネクタ部材８５９（２０ピン雌型で構成）とが露出した状態で配設されている。
【０１６１】
［周辺中継基板１２３と扉装飾駆動基板８６０とのコネクタ接続］
図４４に示すように、周辺中継基板１２３のコネクタＣＮ２は周辺制御基板７５０のコネクタＣＮ１と接続される。周辺中継基板１２３のコネクタＣＮ２及び周辺制御基板７５０のコネクタＣＮ２は、２０ピンで構成されている。
【０１６２】
扉装飾駆動基板８６０と周辺中継基板１２３との接続は、扉装飾駆動基板８６０の対本体接続コネクタ部材８５９（ＣＮ１）に対応接続するコネクタ部材を一端に備えた対本体接続用ハーネス付きコネクタ（従来より周知の接続部材であるため図示せず）を用いて行われ、扉装飾駆動基板８６０の対本体接続コネクタ部材８５９（ＣＮ１）に対本体接続用ハーネス付きコネクタの一端を接続し、周辺中継基板１２３のコネクタＣＮ２（図４５参照）に対本体接続用ハーネス付きコネクタ９１０（図１４参照）の他端を接続する。
【０１６３】
図５０においては周辺中継基板１２３のコネクタＣＮ２のみを示し、扉装飾駆動基板８６０のＣＮ１は図示を省略している。周辺中継基板１２３のコネクタＣＮ２の１番ピンはＳＥＬ０の中継出力であり（セレクト信号０の中継出力であり）、扉装飾駆動基板８６０の１番ピンはＳＥＬ０の入力である（セレクト信号０の入力である）。周辺中継基板１２３のコネクタＣＮ２の２番ピンはＳＥＬ１の中継出力であり（セレクト信号１の中継出力であり）、扉装飾駆動基板８６０の２番ピンはＳＥＬ１の入力である（セレクト信号１の入力である）。
【０１６４】
周辺中継基板１２３のコネクタＣＮ２の３番ピンはＳ−ＤＡＴＡの中継出力であり（シリアルの点灯データの中継出力であり）、扉装飾駆動基板８６０の３番ピンはＳ−ＤＡＴＡの入力である（シリアルの点灯データの入力である）。周辺中継基板１２３のコネクタＣＮ２の４番ピンはＳ−ＣＬＫの中継出力であり（クロック信号の中継出力であり）、扉装飾駆動基板８６０の４番ピンはＳ−ＣＬＫの入力である（クロック信号の入力である）。
【０１６５】
周辺中継基板１２３のコネクタＣＮ２の５番ピンはＳ−ＭＯＤＥの中継出力であり（モード信号の中継出力であり）、扉装飾駆動基板８６０の５番ピンはＳ−ＭＯＤＥの入力である（モード信号の入力である）。周辺中継基板１２３のコネクタＣＮ２の６番ピンはＳ−ＬＡＴＣＨの中継出力であり（ラッチ信号の中継出力であり）、扉装飾駆動基板８６０の６番ピンはＳ−ＬＡＴＣＨの入力である（ラッチ信号の入力である）。
【０１６６】
周辺中継基板１２３のコネクタＣＮ２の７番ピン及び８番ピンはグランドＧＮＤであり、扉装飾駆動基板８６０のコネクタＣＮ１の７番ピン及び８番ピンもグランドＧＮＤである。周辺中継基板１２３のコネクタＣＮ２の９番ピン及び１０番ピンは＋１２Ｖ電源の中継出力であり、扉装飾駆動基板８６０のコネクタＣＮ１の９番ピン及び１０番ピンは＋１２Ｖ電源の入力である。周辺中継基板１２３のコネクタＣＮ２の１１番ピン及び１２番ピンはグランドＧＮＤであり、扉装飾駆動基板８６０のコネクタＣＮ１の１１番ピン及び１２番ピンもグランドＧＮＤである。
【０１６７】
周辺中継基板１２３のコネクタＣＮ２の１３番ピン及び１４番ピンは＋ＳＰＫ−Ｒの中継出力であり（右スピーカ２０１ｂのプラス中継出力であり）、扉装飾駆動基板８６０のコネクタＣＮ１の１３番ピン及び１４番ピンは＋ＳＰＫ−Ｒの入力である（右スピーカ２０１ｂのプラス入力である）。周辺中継基板１２３のコネクタＣＮ２の１５番ピン及び１６番ピンは−ＳＰＫ−Ｒの中継出力であり（右スピーカ２０１ｂのマイナス中継出力であり）、扉装飾駆動基板８６０のコネクタＣＮ１の１５番ピン及び１６番ピンは−ＳＰＫ−Ｒの入力である（右スピーカ２０１ｂのマイナス入力である）。
【０１６８】
周辺中継基板１２３のコネクタＣＮ２の１７番ピン及び１８番ピンは＋ＳＰＫ−Ｌの中継出力であり（左スピーカ２０１ａのプラス中継出力であり）、扉装飾駆動基板８６０のコネクタＣＮ１の１７番ピン及び１８番ピンは＋ＳＰＫ−Ｌの入力である（左スピーカ２０１ａのプラス入力である）。周辺中継基板１２３のコネクタＣＮ２の１９番ピン及び２０番ピンは−ＳＰＫ−Ｌの中継出力であり（左スピーカ２０１ａのマイナス中継出力であり）、扉装飾駆動基板８６０のコネクタＣＮ１の１９番ピン及び２０番ピンは−ＳＰＫ−Ｌの入力である（左スピーカ２０１ａのマイナス入力である）。
【０１６９】
［周辺中継基板１２３と低音スピーカ２２１とのコネクタ接続］
図４４に示すように、周辺中継基板１２３のコネクタＣＮ３は低音スピーカ２２１と接続される。周辺中継基板１２３のコネクタＣＮ３は４ピンで構成されている。図５０に示すように、周辺中継基板１２３のコネクタＣＮ３の１番ピンは＋ＳＰＫ−Ｗ１であり（低音スピーカ２２１のウーハＷ１用のプラス出力であり）、同コネクタＣＮ３の２番ピンは−ＳＰＫ−Ｗ１であり（低音スピーカ２２１のウーハＷ１用のマイナス出力であり）、同コネクタＣＮ３の３番ピンは＋ＳＰＫ−Ｗ２であり（低音スピーカ２２１のウーハＷ２用のプラス出力であり）、同コネクタＣＮ３の４番ピンは−ＳＰＫ−Ｗ２である（低音スピーカ２２１のウーハＷ２用のマイナス出力である）。
【０１７０】
［扉形前面部材２００の各装飾基板の配置］
上述のトップ装飾基板８７１、左上装飾基板８７２、左下装飾基板８７３、右上装飾基板８７４、右下装飾基板８７５、下パネル照明点灯基板８７６の各配設位置を図３において示す。トップ装飾基板８７１は、扉形前面部材２００の前面上半部に配されている透明板２１４ａの左右方向に向いた上辺を形成する縁部材２１４ｂの中に嵌め込まれている。左上装飾基板８７２は、透明板２１４ａの上下方向に向いた左辺を形成する縁部材２１４ｂの中に嵌め込まれている。左下装飾基板８７３は、各リール停止ボタン２１１ａ〜２１１ｃの下方に配置された意匠板２３０（透明な樹脂製の板に遊技機種を象徴させるキャラクタ等が印刷されている部材）の左側方に位置する略三角形状の装飾パネルの内部に嵌め込まれている。右上装飾基板８７４は、透明板２１４ａの上下方向に向いた右辺を形成する縁部材２１４ｂの中に嵌め込まれている。右下装飾基板８７５は、意匠板２３０の右側方に位置する略三角形状の装飾パネルの内部に嵌め込まれている。下パネル照明点灯基板８７６及び下パネル照明８７７は、意匠板２３０の背後に配置されている。なお、下パネル照明点灯基板８７６はインバータで構成され、下パネル照明８７７は冷陰極管で構成され、意匠板２３０を背後から照明する。
【０１７１】
［周辺制御基板７５０による制御］
図４３に示されているサブ制御ブロックは、図４３において点線で区切られている部分及び図４４に記載されている周辺中継基板１２３に接続されているドアブロック部分と低音スピーカ２２１で構成されている。図４３の周辺制御基板７５０の周辺制御ＭＰＵは、主制御基板４０９から各種コマンドを受信すると、この各種コマンドに基づいて、前述のリール照明ＬＥＤ基板５０３ａ，５０３ｂやバックライト基板（第１回胴〜第３回胴）の発光ダイオードを点灯する点灯信号を出力したり、前述の左上装飾基板８７２に配設された発光体及び左下装飾基板８７３に配設された発光体で構成された左発光体２１７Ａ（後述）、右上装飾基板８７４に配設された発光体及び右下装飾基板８７５に配設された発光体により構成された右発光体２１７Ｂ（後述）を階調点灯する階調点灯信号（点灯制御する点灯制御用データの一態様）を、扉形前面部材２００の裏面に配置した、周辺制御基板７５０と別体に設けた扉装飾駆動基板８６０を介して出力したり、上述したトップ装飾基板８７１に配設された上発光体２１７Ｃ（後述）を点滅する点滅信号（点灯制御する点灯制御用データの一態様）を、扉装飾駆動基板８６０を介して出力したりする。
【０１７２】
なお、左発光体２１７Ａ及び右発光体２１７Ｂへの点滅信号や上発光体２１７Ｃへの階調点灯信号は、前述の周辺制御ＭＰＵのシリアル入出力ポートからクロック信号Ｓ−ＣＬＫと同期して出力されたシリアルデータＳ−ＤＡＴＡ（点灯制御用データに相当する）と、パラレル入出力ポートから出力されたモード信号Ｓ−ＭＯＤＥ、ラッチ信号Ｓ−ＬＡＴＣＨ及びセレクト信号ＳＥＬ０，ＳＥＬ１と、に基づいて、扉装飾駆動基板８６０が左発光体２１７Ａ、右発光体２１７Ｂ及び上発光体２１７Ｃに出力するようになっている。
【０１７３】
周辺制御基板７５０のＶＤＰは、周辺制御ＭＰＵから出力された制御信号に基づいて画像ＲＯＭから画像を読み出して１５．９液晶モジュール５００ｂの表示制御を行う。１５．９液晶モジュール５００ｂにはバックライト（冷陰極管）が内蔵されており、液晶インバータ基板５００ａによって点灯されている。
【０１７４】
周辺制御基板７５０の音源ＩＣは、周辺制御ＭＰＵから出力された制御信号に基づいて音ＲＯＭから音情報を読み込み、周辺中継基板１２３を中継して接続された低音スピーカ２２１と、扉装飾駆動基板８６０を介して扉型前面部材２００のＬスピーカ２０１ａ，Ｒスピーカ２０１ｂとから各種演出に合わせた音楽及び効果音等が流れるよう制御を行う。
【０１７５】
［扉装飾駆動基板８６０］
次に、扉装飾駆動基板８６０について説明する。図５３は扉装飾駆動基板の簡易的な回路図である。扉装飾駆動基板８６０は、図５３に示すように、セレクト回路８６０ａ、スイッチ回路８６０ｂ、駆動回路８６０ｃを備えて構成されており、ここでは、まず扉装飾駆動基板８６０に入力される各種信号について説明し、続けてセレクト回路８６０ａ、スイッチ回路８６０ｂ、駆動回路８６０ｃについて説明する。なお、図５３では、セレクト回路８６０ａ等に供給される制御電圧である直流＋５ボルト（Ｖ）や左発光体２１７Ａ等に供給される駆動電圧である直流＋１２Ｖの図示を省略した。
【０１７６】
［扉装飾駆動基板８６０に入力される各種信号］
扉装飾駆動基板８６０は、図５３に示すように、周辺制御基板７５０の周辺制御ＭＰＵ（シリアル入出力ポート）からクロック信号Ｓ−ＣＬＫと同期してシリアルデータＳ−ＤＡＴＡが入力されている。クロック信号Ｓ−ＣＬＫは、本実施形態では１秒（ｓ）あたり２５０ｋｂ（キロビット）の情報が出力できるように設定されている。
【０１７７】
シリアルデータＳ−ＤＡＴＡは、データの形式の異なる、左発光体２１７Ａ及び右発光体２１７Ｂを階調点灯する階調点灯データと、上発光体２１７Ｃを点滅する点滅データとが含まれている。ここで階調点灯データは、階調データ及び点灯データから構成されている。なお、これらの点滅データ及び階調点灯データは、周辺制御基板７５０の周辺制御ＲＯＭに予めテーブルとして別々に複数記憶されており、周辺制御ＭＰＵが必要に応じてそれらのテーブルを参照して１つのシリアルデータＳ−ＤＡＴＡとして作成し、扉装飾駆動基板８６０に出力するようになっている。
【０１７８】
扉装飾駆動基板８６０には、クロック信号Ｓ−ＣＬＫ、シリアルデータＳ−ＤＡＴＡのほかに、周辺制御ＭＰＵ（パラレル入出力ポート）からセレクト信号ＳＥＬ０，ＳＥＬ１、モード信号Ｓ−ＭＯＤＥ及びラッチ信号Ｓ−ＬＡＴＣＨが入力されている。セレクト信号ＳＥＬ０，ＳＥＬ１は、周辺制御ＭＰＵ（シリアル入出力ポート）から出力されているシリアルデータＳ−ＤＡＴＡが点滅データであるか階調点灯データであるかをスイッチ回路８６０ｂに伝える信号であり、モード信号Ｓ−ＭＯＤＥは、階調点灯データが階調データであるか点灯データであるかを駆動回路８６０ｃに伝える信号であり、ラッチ信号Ｓ−ＬＡＴＣＨは、駆動回路８６０ｃが取り込んだシリアルデータＳ−ＤＡＴＡに基づいて、左発光体２１７Ａ及び右発光体２１７Ｂに階調点灯信号を出力開始する旨を、スイッチ回路８６０ｂを介して駆動回路８６０ｃに伝えたり、上発光体２１７Ｃに点滅信号を出力開始する旨を、スイッチ回路８６０ｂを介して駆動回路８６０ｃに伝えたりする信号である。
【０１７９】
なお、周辺制御基板７５０と扉装飾駆動基板８６０との基板間の配線は、両端に接続用のコネクタ（２０ピン）を有するハーネス付きコネクタの一端が周辺制御基板７５０のコネクタＣＮ３（２０ピン）に接続され、図１６−１に示すように前記ハーネス（４２６）付きコネクタの他端４２７がコネクタホルダ４２８に取り付けられると共に（以上の構成が遊技ユニット側）、図８（ａ）に示すように、配線中継部材１１３に収められた周辺中継基板１２３のコネクタ１２５（図４４及び図４５ではＣＮ１、２０ピン）（外本体１００側）と接続されている。そして、図１４に示すように、両端に接続用のコネクタ（２０ピン）を有するハーネス９１０付きコネクタの一端が、周辺中継基板１２３のコネクタＣＮ２（２０ピン）に接続され、ハーネス９１０付きコネクタの他端が、扉形前面部材２００に引き伸ばされて扉装飾駆動基板８６０のコネクタＣＮ１（２０ピン）と接続されている（図５２では符号８５９、図４４参照）。これらのハーネスを介して、周辺制御ＭＰＵからのクロック信号Ｓ−ＣＬＫ、シリアルデータＳ−ＤＡＴＡ、セレクト信号ＳＥＬ０，ＳＥＬ１、モード信号Ｓ−ＭＯＤＥ及びラッチ信号Ｓ−ＬＡＴＣＨが扉装飾駆動基板８００に伝わるようになっている。
【０１８０】
［セレクト回路８６０ａ］
セレクト回路８６０ａは、図５３に示すように、インバータＩＣ１Ａ，ＩＣ１Ｂ（本実施形態では、東京芝浦電気製：ＴＣ７４ＨＣ１４）、論理積ＩＣ２Ａ，ＩＣ３Ａ（本実施形態では、東京芝浦電気製：ＴＣ７４ＨＣ０８）を備えて構成されている。
【０１８１】
インバータＩＣ１Ａ，ＩＣ１Ｂの各々は、８つの反転回路を備えており、その２つ（ＩＣ１Ａ，ＩＣ１Ｂ）にセレクト信号ＳＥＬ０，ＳＥＬ１がそれぞれ入力されている。論理積ＩＣ２Ａ，ＩＣ３Ａは、４つの論理積回路を備えている（なお、後述のＩＣ２Ｂ〜ＩＣ２Ｄ、ＩＣ３Ｂ〜ＩＣ３Ｄも同様）。インバータＩＣ１Ａの入力端子１に入力されたセレクト信号ＳＥＬ０は、入力された論理を反転して出力端子２から反転セレクト信号ＳＥＬ０′として出力され、論理積ＩＣ２Ａの入力端子２に入力されている。論理積ＩＣ２Ａの入力端子１にはセレクト信号ＳＥＬ１が入力されており、論理積ＩＣ２Ａは論理積回路であるため、入力端子１，２の論理積をとってその演算結果が出力端子３からスイッチ回路８６０ｂに出力される。
【０１８２】
インバータＩＣ１Ｂの入力端子３に入力されたセレクト信号ＳＥＬ１は、入力された論理を反転して出力端子４から反転セレクト信号ＳＥＬ１′として出力され、論理積ＩＣ３Ａの入力端子２に入力されている。論理積ＩＣ３Ａの入力端子１にはセレクト信号ＳＥＬ０が入力されており、論理積ＩＣ３Ａは論理積回路であるため、入力端子１，２の論理積をとってその演算結果が出力端子３からスイッチ回路８６０ｂに出力される。
【０１８３】
［スイッチ回路８６０ｂ］
セレクト回路８６０ａの論理積ＩＣ２Ａ，ＩＣ３Ａによる演算結果が入力されるスイッチ回路８６０ｂは、図５３に示すように、論理積ＩＣ２Ｂ〜ＩＣ２Ｄ，ＩＣ３Ｂ〜ＩＣ３Ｄを備えて構成されている。論理積ＩＣ２Ｂ，ＩＣ３Ｂの入力端子４にはシリアルデータＳ−ＤＡＴＡが入力され、論理積ＩＣ２Ｂ，ＩＣ３Ｂの入力端子５にはセレクト回路８６０ａの論理積ＩＣ２Ａ，ＩＣ３Ａによる演算結果が入力されている。論理積ＩＣ２Ｂ，ＩＣ３Ｂは論理積回路であるため、入力端子４，５の論理積をとってその演算結果が出力端子６から駆動回路８６０ｃに出力される。
【０１８４】
このように、セレクト回路８６０ａの論理積ＩＣ２Ａ，ＩＣ３Ａによる演算結果によって（ＩＣ２Ａの出力がＨＩであるときはＩＣ３Ａの出力がＬＯＷ、ＩＣ３Ａの出力がＨＩであるときはＩＣ２Ａの出力がＬＯＷ）、シリアルデータＳ−ＤＡＴＡを、論理積ＩＣ２Ｂの出力端子６から駆動回路８６０ｃに出力するか又は論理積ＩＣ３Ｂの出力端子６から駆動回路８６０ｃに出力するか、を切り替えている。
【０１８５】
なお、周辺制御基板７５０と扉装飾駆動基板８６０との基板間を電気的に接続する図示しないハーネスにノイズが侵入してセレクタ信号ＳＥＬ０，ＳＥＬ１が同論理になると、セレクト回路８６０ａの論理積ＩＣ２Ａ，ＩＣ３Ａによる演算結果によって（ＩＣ２Ａ，ＩＣ３Ａの出力が共にＬＯＷであることによって）、シリアルデータＳ−ＤＡＴＡを、論理積ＩＣ２Ｂの出力端子６から駆動回路８６０ｃに出力せず、かつ論理積ＩＣ３Ｂの出力端子６から駆動回路８６０ｃに出力せずになる。これにより、ノイズの影響を受けたシリアルデータＳ−ＤＡＴＡを駆動回路８６０ｃに出力することがなくなる（意図しないシリアルデータＳ−ＤＡＴＡが駆動回路８６０ｃに出力されることを防止する）。このように、セレクト信号ＳＥＬ０，ＳＥＬ１はシリアルデータＳ−ＤＡＴＡのノイズ対策としての役割も担っている。
【０１８６】
論理積ＩＣ２Ｃ，ＩＣ３Ｃの入力端子９にはクロック信号Ｓ−ＣＬＫが入力され、論理積ＩＣ２Ｃ，ＩＣ３Ｃの入力端子１０にはセレクト回路８６０ａの論理積ＩＣ２Ａ，ＩＣ３Ａによる演算結果が入力されている。論理積ＩＣ２Ｃ，ＩＣ３Ｃは論理積回路であるため、入力端子９，１０の論理積をとってその演算結果が出力端子８から駆動回路８００ｃに出力される。
【０１８７】
このように、セレクト回路８６０ａの論理積ＩＣ２Ａ，ＩＣ３Ａによる演算結果によって（ＩＣ２Ａの出力がＨＩであるときはＩＣ３Ａの出力がＬＯＷ、ＩＣ３Ａの出力がＨＩであるときはＩＣ２Ａの出力がＬＯＷ）、クロック信号Ｓ−ＣＬＫを、論理積ＩＣ２Ｃの出力端子８から駆動回路８６０ｃに出力するか又は論理積ＩＣ３Ｃの出力端子８から駆動回路８６０ｃに出力するか、を切り替えている。
【０１８８】
なお、周辺制御基板７５０と扉装飾駆動基板８６０との基板間を電気的に接続する図示しないハーネスにノイズが侵入してセレクタ信号ＳＥＬ０，ＳＥＬ１が同論理になると、セレクト回路８６０ａの論理積ＩＣ２Ａ，ＩＣ３Ａによる演算結果によって（ＩＣ２Ａ，ＩＣ３Ａの出力が共にＬＯＷであることによって）、クロック信号Ｓ−ＣＬＫを、論理積ＩＣ２Ｃの出力端子８から駆動回路８００ｃに出力せず、かつ論理積ＩＣ３Ｃの出力端子８から駆動回路８００ｃに出力せずになる。これにより、ノイズの影響を受けたクロック信号Ｓ−ＣＬＫを駆動回路８６０ｃに出力することがなくなる。このように、セレクト信号ＳＥＬ０，ＳＥＬ１はクロック信号Ｓ−ＣＬＫのノイズ対策としての役割も担っている。
【０１８９】
論理積ＩＣ２Ｄ，ＩＣ３Ｄの入力端子１２にはラッチ信号Ｓ−ＬＡＴＣＨが入力され、論理積ＩＣ２Ｄ，ＩＣ３Ｄの入力端子１３にはセレクト回路８６０ａの論理積ＩＣ２Ａ，ＩＣ３Ａによる演算結果が入力されている。論理積ＩＣ２Ｄ，ＩＣ３Ｄは論理積回路であるため、入力端子１２，１３の論理積をとってその演算結果が出力端子１１から駆動回路８６０ｃに出力される。
【０１９０】
このように、セレクト回路８６０ａの論理積ＩＣ２Ａ，ＩＣ３Ａによる演算結果によって（ＩＣ２Ａの出力がＨＩであるときはＩＣ３Ａの出力がＬＯＷ、ＩＣ３Ａの出力がＨＩであるときはＩＣ２Ａの出力がＬＯＷ）、ラッチ信号Ｓ−ＬＡＴＣＨを、論理積ＩＣ２Ｄの出力端子１１から駆動回路８００ｃに出力するか又は論理積ＩＣ３Ｄの出力端子１１から駆動回路８００ｃに出力するか、を切り替えている。
【０１９１】
なお、周辺制御基板７００と扉装飾駆動基板８００との基板間を電気的に接続する図示しないハーネスにノイズが侵入してセレクタ信号ＳＥＬ０，ＳＥＬ１が同論理になると、セレクト回路８００ａの論理積ＩＣ２Ａ，ＩＣ３Ａによる演算結果によって（ＩＣ２Ａ，ＩＣ３Ａの出力が共にＬＯＷであることによって）、ラッチ信号Ｓ−ＬＡＴＣＨを、論理積ＩＣ２Ｄの出力端子１１から駆動回路８６０ｃに出力せず、かつ論理積ＩＣ３Ｄの出力端子１１から駆動回路８６０ｃに出力せずになる。これにより、ノイズの影響を受けたラッチ信号Ｓ−ＬＡＴＣＨを駆動回路８６０ｃに出力することがなくなる。このように、セレクト信号ＳＥＬ０，ＳＥＬ１はラッチ信号Ｓ−ＬＡＴＣＨのノイズ対策としての役割も担っている。
【０１９２】
［駆動回路８６０ｃ］
スイッチ回路８６０ｂの論理積ＩＣ２Ｂ〜ＩＣ２Ｄ，ＩＣ３Ｂ〜ＩＣ３Ｄによる演算結果が入力される駆動回路８６０ｃは、図５３に示すように、点滅制御ＩＣ４、左側用階調制御ＩＣ５、右側用階調制御ＩＣ６を備えて構成されている。
【０１９３】
［点滅制御ＩＣ４］
点滅制御ＩＣ４は、本実施形態では、東京芝浦電気製のＴＢ６２７０９を用いている。このＴＢ６２７０９は、定電流ドライバであり、発光ダイオード等を直接駆動することができる。点滅制御ＩＣ４のＤＡＴＡ−ＩＮ端子には、スイッチ回路８６０ｂの論理積ＩＣ３Ｂの演算結果、つまりシリアルデータＳ−ＤＡＴＡが入力され、点滅制御ＩＣ４のＣＬＯＣＫ端子には、スイッチ回路８６０ｂの論理積ＩＣ３Ｃの演算結果、つまりクロック信号Ｓ−ＣＬＫが入力され、点滅制御ＩＣ４のＬＯＡＤ端子には、スイッチ回路８６０ｂの論理積ＩＣ３Ｄの演算結果、つまりラッチ信号Ｓ−ＬＡＴＣＨが入力されている。なお、点滅制御ＩＣ４で取り込まれるシリアルデータＳ−ＤＡＴＡは、その詳細な説明は後述するが、セレクト信号ＳＥＬ０，ＳＥＬ１の論理を制御し、点滅データとなるようになっている。
【０１９４】
このように、点滅制御ＩＣ４は、シリアルデータＳ−ＤＡＴＡ（点滅データ）を取り込み、ラッチ信号Ｓ−ＬＡＴＣＨが入力されると、これを契機として取り込んだシリアルデータＳ−ＤＡＴＡ（点滅データ）に基づいて、ＯＵＴ−ａ端子〜ＯＵＴ−ｇ端子から上発光体２１７Ｃに点滅信号を出力する。この点滅信号は定電流であり、この定電流が上発光体２１７Ｃに流れて上発光体２１７Ｃが点灯又は点滅する。
【０１９５】
［左側用階調制御ＩＣ５及び右側用階調制御ＩＣ６］
左側用階調制御ＩＣ５及び右側用階調制御ＩＣ６は、本実施形態では、テキサス・インスツルメント（ＴＩ）製のＴＬＣ５９２２を用いている。このＴＬＣ５９２２には１６チャンネルの出力があり、各出力チャンネルは個別のＯＮ／ＯＦＦ制御に加え、チャンネルごとに、０〜８０ミリアンペア（ｍＡ）の範囲でプログラム可能な定電流を流すことができる（これらの設定はＭＯＤＥ信号に基づいて行われる）。また、１個の外付け抵抗（図示しない）により最大出力電流を設定し、この最大出力電流に対して、０〜１２７の１２８段階で出力電流を、チャンネルごとに出力することができる。
【０１９６】
左側用階調制御ＩＣ５のＳＩＮ端子には、スイッチ回路８６０ｂの論理積ＩＣ２Ｂの演算結果、つまりシリアルデータＳ−ＤＡＴＡが入力され、左側用階調制御ＩＣ５及び右側用階調制御ＩＣ６のＳＣＬＫ端子には、スイッチ回路８６０ｂの論理積ＩＣ２Ｃの演算結果、つまりクロック信号Ｓ−ＣＬＫが入力され、左側用階調制御ＩＣ５及び右側用階調制御ＩＣ６のＸＬＡＴ端子には、スイッチ回路８６０ｂの論理積ＩＣ２Ｄの演算結果、つまりラッチ信号Ｓ−ＬＡＴＣＨが入力されている。また、左側用階調制御ＩＣ５のＳＯＵＴ端子と右側用階調制御ＩＣ６のＳＩＮ端子とが電気的に接続されており、左側用階調制御ＩＣ５及び右側用階調制御ＩＣ６がデイジーチェーン接続されている。これにより、左側用階調制御ＩＣ５のＳＩＮ端子に入力されたシリアルデータＳ−ＤＡＴＡはＳＯＵＴ端子から右側用階調制御ＩＣ６のＳＩＮ端子に入力され、左側用階調制御ＩＣ５及び右側用階調制御ＩＣ６はシリアルデータＳ−ＤＡＴＡを取り込むことができる。左側用階調制御ＩＣ５及び右側用階調制御ＩＣ６のＭＯＤＥ端子には、モード信号Ｓ−ＭＯＤＥが入力されている。なお、左側用階調制御ＩＣ５及び右側用階調制御ＩＣ６で取り込まれるシリアルデータＳ−ＤＡＴＡは、その詳細な説明は後述するが、セレクト信号ＳＥＬ０，ＳＥＬ１の論理を制御し、階調データ及び点灯データから構成された階調点灯データとなるようになっている。
【０１９７】
このように、左側用階調制御ＩＣ５及び右側用階調制御ＩＣ６は、シリアルデータＳ−ＤＡＴＡ（階調点灯データ）を取り込み、ラッチ信号Ｓ−ＬＡＴＣＨが入力されると、これを契機として取り込んだシリアルデータＳ−ＤＡＴＡ（階調点灯データ）に基づいて、左側用階調制御ＩＣ５はそのＯＵＴ０端子〜ＯＵＴ１５端子から左発光体２１７Ａに階調点灯信号を出力し、右側用階調制御ＩＣ６はそのＯＵＴ０端子〜ＯＵＴ１５端子から右発光体２１７Ｂに階調点灯信号を出力する。この階調点灯信号は、設定された階調データに基づいて最大出力電流に対して０〜１２７段階の電流が左発光体２１７Ａ及び右発光体２１７Ｂに流れて左発光体２１７Ａ及び右発光体２１７Ｂが点灯又は階調点灯する。
【０１９８】
［点滅データ及び階調点灯データの出力シーケンス］
次に、上述した周辺制御基板７５０の周辺制御ＭＰＵ（シリアル入出力ポート）から出力するシリアルデータＳ−ＤＡＴＡの出力シーケンスについて説明する。このシリアルデータＳ−ＤＡＴＡは、上述したように、点滅データ及び階調データにより構成されており、周辺制御基板７５０の周辺制御ＲＯＭに予めテーブルとして複数記憶されている。周辺制御ＭＰＵは、必要に応じてそれらのテーブルを参照して１つのシリアルデータＳ−ＤＡＴＡとして作成し、扉装飾駆動基板８６０に出力する。
【０１９９】
図５４はシリアルデータの出力シーケンスの一例を示すタイミングチャートである。周辺制御基板７５０の周辺制御ＭＰＵは、図４７に示すように、パラレル入出ポートからセレクト信号ＳＥＬ０の論理をＨＩにして出力するとともに、セレクト信号ＳＥＬ１の論理をＬＯＷにして出力する（タイミングＴ０）。セレクト信号ＳＥＬ０の論理をＨＩ、セレクト信号ＳＥＬ１の論理をＬＯＷにすることでシリアルデータＳ−ＤＡＴＡが点滅データであることを扉装飾駆動基板８６０に伝えている。
【０２００】
タイミングＴ０の後、点滅データの出力シーケンスを開始し（タイミングＴ１）、シリアル入出力ポートからクロック信号Ｓ−ＣＬＫと同期してシリアルデータＳ−ＤＡＴＡである点滅データを扉装飾駆動基板８６０に１ビットずつ出力するとともにパラレル入出力ポートからラッチ信号Ｓ−ＬＡＴＣＨの論理をＬＯＷにして出力することによって、図５３に示した、扉装飾駆動基板８６０の点滅制御ＩＣ４が点滅データを取り込む。その後、シリアル入出力ポートから点滅データをすべて出力すると、パラレル入出力ポートからラッチ信号Ｓ−ＬＡＴＣＨの論理をＨＩにして出力することによって、点滅制御ＩＣ４は、ラッチ信号Ｓ−ＬＡＴＣＨを契機として取り込んだ点滅データに基づいて上発光体２１７Ｃに点滅信号を出力し、上発光体２１７Ｃが点灯又は点滅する。
【０２０１】
パラレル入出力ポートからラッチ信号Ｓ−ＬＡＴＣＨの論理をＨＩにして出力した後、パラレル入出力ポートからセレクト信号ＳＥＬ１の論理をＬＯＷからＨＩにして出力する（タイミングＴ２）。これにより、点滅データの出力シーケンスが完了する。
【０２０２】
タイミングＴ２の後、パラレル入出力ポートからセレクト信号ＳＥＬ０の論理をＨＩからＬＯＷにして出力し、階調点灯データの出力シーケンスを開始する（タイミングＴ３）。セレクト信号ＳＥＬ０の論理をＬＯＷ、セレクト信号ＳＥＬ１の論理をＨＩにすることでシリアルデータＳ−ＤＡＴが階調データであることを扉装飾駆動基板８６０に伝えている。
【０２０３】
タイミングＴ３の後、シリアル入出力ポートからクロック信号Ｓ−ＣＬＫと同期してシリアルデータＳ−ＤＡＴＡである階調データを扉装飾駆動基板８６０に１ビットずつ出力するとともにパラレル入出力ポートからラッチ信号Ｓ−ＬＡＴＣＨの論理をＬＯＷにして出力することによって、図５３に示した扉装飾駆動基板８６０の左側用階調制御ＩＣ５及び右側用階調制御ＩＣ６が階調点灯データを取り込む。このとき、モード信号Ｓ−ＭＯＤＥの論理がＨＩとなっているため、左側用階調制御ＩＣ５及び右側用階調制御ＩＣ６は階調点灯データのうち階調データを取り込む。
【０２０４】
シリアル入出力ポートから階調点灯データのうち階調データをすべて出力すると、図示しないが、パラレル入出力ポートからラッチ信号Ｓ−ＬＡＴＣＨの論理をＬＯＷからＨＩにして出力し、その後、ラッチ信号Ｓ−ＬＡＴＣＨの論理をＨＩからＬＯＷにして出力する。そしてパラレル入出力ポートからモード信号Ｓ−ＭＯＤＥの論理をＨＩからＬＯＷにする。このとき、モード信号Ｓ−ＭＯＤＥの論理がＬＯＷとなっているため、左側用階調制御ＩＣ５及び右側用階調制御ＩＣ６は階調点灯データのうち点灯データを取り込む。シリアル入出力ポートから階調点灯データのうち点灯データをすべて出力すると、パラレル入出力ポートからラッチ信号Ｓ−ＬＡＴＣＨ及びモード信号Ｓ−ＭＯＤＥの論理をＬＯＷからＨＩにすることによって、左側用階調制御ＩＣ５及び右側用階調制御ＩＣ６は、ラッチ信号Ｓ−ＬＡＴＣＨを契機として取り込んだ階調データに基づいて、左側用階調制御ＩＣ５は左発光体２１７Ａに階調点灯信号を出力し、右側用階調制御ＩＣ６は右発光体２１７Ｂに階調点灯信号を出力し、左発光体２１７Ａ及び右発光体２１７Ｂが点灯又は階調点灯する。
【０２０５】
パラレル入出力ポートからラッチ信号Ｓ−ＬＡＴＣＨ及びモード信号Ｓ−ＭＯＤＥの論理をＨＩにして出力した後、パラレル入出力ポートからセレクト信号ＳＥＬ１の論理をＨＩからＬＯＷにして出力する（タイミングＴ４）。これにより、階調点灯データの出力シーケンスが完了する。
【０２０６】
以上説明した本実施形態のスロットマシン１は、周辺制御基板７５０、扉装飾駆動基板８６０を備えている。周辺制御基板７５０は、シリアル入出力ポート及びパラレル入出力ポートが内蔵されたマイクロプロセッサである周辺制御ＭＰＵを実装する。扉装飾駆動基板８６０は、周辺制御基板７５０と別体に設けられており、周辺制御ＭＰＵのシリアル入出力ポートから出力されたシリアルデータＳ−ＤＡＴＡに基づいて、上発光体２１７Ｃに点滅信号を出力し、左発光体２１７Ａ及び右発光体２１７Ｂに階調点灯信号を出力する。
【０２０７】
扉装飾駆動基板８６０は、点滅制御ＩＣ４、左側用階調制御ＩＣ５、右側用階調制御ＩＣ６、セレクト回路８６０ａを備えている。点滅制御ＩＣ４は、シリアルデータＳ−ＤＡＴＡの点滅データを取り込み、かつ、上発光体２１７Ｃに点滅信号を出力する。左側用階調制御ＩＣ５は、シリアルデータＳ−ＤＡＴＡの階調点灯データを取り込み、左発光体２１７Ａに階調点灯信号を出力する。右側用階調制御ＩＣ６は、シリアルデータＳ−ＤＡＴＡの階調点灯データを取り込み、右発光体２１７Ｂに階調点灯信号を出力する。セレクト回路８６０ａは、周辺制御ＭＰＵのパラレル入出力ポートから出力されたセレクト信号ＳＥＬ０，ＳＥＬ１に基づいて、シリアルデータＳ−ＤＡＴＡを、点滅制御ＩＣ４に出力するか、又は左側用階調制御ＩＣ５及び右側用階調制御ＩＣ６に出力するか、を切り替える。
【０２０８】
シリアルデータＳ−ＤＡＴＡは、点滅制御ＩＣ４の点滅データと、左側用階調制御ＩＣ５及び右側用階調制御ＩＣ６の階調点灯データとから構成されており、点滅データと階調点灯データとの形式が異なっている。
【０２０９】
このように、シリアルデータＳ−ＤＡＴＡは、データの形式が異なる、点滅制御ＩＣ４の点滅データと、左側用階調制御ＩＣ５及び右側用階調制御ＩＣ６の階調点灯データと、から構成されており、セレクト回路８６０ａが、そのシリアルデータＳ−ＤＡＴＡを、点滅制御ＩＣ４に出力するか、又は左側用階調制御ＩＣ５及び右側用階調制御ＩＣ６に出力するか、を切り替えている。したがって、取り込むシリアルデータＳ−ＤＡＴＡの形式が異なる、点滅制御ＩＣ４、左側用階調制御ＩＣ５及び右側用階調制御ＩＣ６を備えても、１つのシリアルデータＳ−ＤＡＴＡとして取り扱うことができる。
【０２１０】
点滅制御ＩＣ４は、点滅データを取り込み、上発光体２１７Ｃに点滅信号を出力し、左側用階調制御ＩＣ５及び右側用階調制御ＩＣ６は階調データ及び点灯データから構成された階調データを取り込み、左側用階調制御ＩＣ５は左発光体２１７Ａに階調点灯信号を出力し、右側用階調制御ＩＣ６は右発光体２１７Ｂに階調点灯信号を出力する。
【０２１１】
シリアルデータＳ−ＤＡＴＡは、形式の異なる、点滅データ及び階調点灯データから構成されており、セレクト回路８６０ａは、周辺制御ＭＰＵのパラレル入出力ポートから２本のセレクト信号ＳＥＬ０，ＳＥＬ１が入力されており、セレクト信号ＳＥＬ０の論理がＨＩであり、かつ、セレクト信号ＳＥＬ１の論理がＬＯＷであるときには点滅データを点滅制御ＩＣ４に出力する一方、セレクト信号ＳＥＬ０の論理がＬＯＷであり、かつ、セレクト信号ＳＥＬ１がＨＩであるときには階調点灯データを、左側用階調制御ＩＣ５及び右側用階調制御ＩＣ６に出力する。
【０２１２】
こうすれば、１つのシリアルデータＳ−ＤＡＴＡで、点滅制御ＩＣ４に点滅データ、左側用階調制御ＩＣ５及び右側用階調制御ＩＣ６に階調点灯データを、セレクト回路８６０ａに入力された、セレクト信号ＳＥＬ０，ＳＥＬ１によって出力することができる。これにより、点滅制御ＩＣ４は取り込んだ点滅データに基づいて上発光体２１７Ｃに点滅信号を出力することができ、左側用階調制御ＩＣ５及び右側用階調制御ＩＣ６は取り込んだ階調点灯データに基づいて、左側用階調制御ＩＣ５が左発光体２１７Ａに階調点灯信号を出力することができ、右側用階調制御ＩＣ６が右発光体２１７Ｂに階調点灯信号を出力することができる。
【０２１３】
更に、セレクト回路８６０ａに入力されるセレクト信号ＳＥＬ０，ＳＥＬ１の論理が共にＨＩ又はＬＯＷであるとき、つまり同論理であるときには、スイッチ回路８６０ｂによる点滅制御ＩＣ４、左側用階調制御ＩＣ５及び右側用階調制御ＩＣ６へのシリアルデータＳ−ＤＡＴＡ、クロック信号Ｓ−ＣＬＫ及びラッチ信号Ｓ−ＬＡＴＣＨの出力は行われない。セレクト信号ＳＥＬ０，ＳＥＬ１にノイズが侵入すると、その論理が同一（同論理）になる性質がある。この性質を利用して、セレクト回路８６０ａに入力されたセレクト信号ＳＥＬ０，ＳＥＬ１の論理が同論理になると、スイッチ回路８６０ｂが、ノイズの影響を受けたシリアルデータＳ−ＤＡＴＡを、点滅制御ＩＣ４、左側用階調制御ＩＣ５及び右側用階調制御ＩＣ６に出力しなくなる。このように、セレクト信号ＳＥＬ０，ＳＥＬ１はシリアルデータＳ−ＤＡＴＡのノイズ対策としの役割も担っている。
【０２１４】
以上に説明したように、遊技ユニットを外本体１００の開口１０９の内部に着脱交換するに際し、コネクタホルダー４２８を配線中継部材１１３に着脱可能に結合することにより、コネクタホルダー４２８のコネクタ４２５（主制御系配線類接続用コネクタ）と主中継基板１２２のコネクタ１２４（主中継用コネクタ）とが接離可能に接続され、かつコネクタホルダー４２８のコネクタ４２７（周辺制御系配線類接続用コネクタ）と周辺中継基板１２３のコネクタ１２５（周辺中継用コネクタ）とが接離可能に接続されるので、接続に供するコネクタの数が２つで済むから、接続に供するコネクタの数を減らすことができ、機種交換に際して、機種に依存しない本体部分に対して機種に依存する部分としての遊技ユニットの分離／結合の作業を容易に行うことができる。
【０２１５】
周辺制御基板７５０のマイクロプロセッサ（周辺制御ＭＰＵ）のシリアル出力ポートから点灯制御用データをシリアルデータで出力し、扉装飾駆動基板８６０の駆動回路８６０ｃへシリアル通信により送信する構成としたので、周辺中継基板１２３から扉装飾駆動基板８６０に至るまでのハーネスの本数を減らすことができ（点灯制御用データを伝達するに要する信号線をＳ−ＤＡＴＡの１つとすることができる結果）、扉形前面部材２００が回動可能に外本体１００の前面一側に取り付けているヒンジ近くの屈曲する部分のハーネスの本数を減らすことになり、扉形前面部材２００と外本体１００との間にハーネスが挟み込まれる虞を低く抑えることができ（ハーネスを傷めてしまうというトラブルを激減でき）、信頼性が向上する。
【図面の簡単な説明】
【０２１６】
【図１】スロットマシンの分解斜視図である。
【図２】扉形前面部材を省略した状態を示すスロットマシンの分解斜視図である。
【図３】スロットマシンの斜視図である。
【図４】扉形前面部材を省略した状態を示すスロットマシンの縦断面図である。
【図５】図４のＺ１部拡大図である。
【図６】コネクタホルダーを移動させた状態を示す図４のＺ１部拡大図である。
【図７】扉形前面部材を省略した状態を示すスロットマシンの横断面図である。
【図８】（ａ）は図７のＺ２部拡大図、（ｂ）はコネクタホルダーを移動させた状態を示す図７のＺ２部拡大図である。
【図９】図８（ａ）の要部を示す拡大図である。
【図１０】背板側を示すスロットマシン要部の横断面図である。
【図１１】ケース部材の分解斜視図である。
【図１２】ケース部材を後ろから見た斜視図である。
【図１３】（ａ），（ｂ）はコネクタホルダーの仮止め状態を説明するケース部材の要部の斜視図である。
【図１４】配線中継部材の分解斜視図である。
【図１５】配線中継部材のカバー体を省略した正面図である。
【図１６−１】コネクタホルダーの分解斜視図である。
【図１６−２】コネクタホルダーの分解斜視図である。
【図１７】ケース部材を止めるストッパーの斜視図である。
【図１８】他の形態を示すストッパーの斜視図である。
【図１９】ケース部材のガイド構造を示す要部の断面図である。
【図２０】ケース部材のガイド構造を示す要部の断面図である。
【図２１】把手の他の形態を示す図柄変動表示装置の部分斜視図である。
【図２２】ケース部材と外本体側のストッパーとの関係を示す要部の斜視図である。
【図２３】配線窓と図柄変動表示装置のリールとの関係を示す要部の断面図である。
【図２４】スロットマシン上部の縦断面図である。
【図２５】メダル放出装置を省略してスロットマシンの下半部を示す斜視図である。
【図２６】図２５の分解斜視図である。
【図２７】スロットマシンの裏側から放熱口を見た背面図である。
【図２８】電源装置を示すスロットマシンの一部断面部分正面図である。
【図２９】電源装置を下から見上げた状態を示す斜視図である。
【図３０】他の形態を示すもので外本体の側板と電源装置の要部断面図である。
【図３１】他の形態を示す照明装置の概略断面図である。
【図３２】透明板と発光ユニットを分解して示す扉形前面部材の斜視図である。
【図３３】透明板を分解して示す扉形前面部材の斜視図である。
【図３４】透明板を装着した扉形前面部材の図３２Ａ−Ａ線相当断面図である。
【図３５】ヒンジ金具の分解・組み立て斜視図である。
【図３６】ヒンジ金具の連鎖を示す線図である。
【図３７】扉形前面部材を示す要部の横断平面図である。
【図３８】開く途中の扉形前面部材を示す要部の横断平面図である。
【図３９】扉形前面部材の上半部を示す裏側から見た斜視図である。
【図４０】他のヒンジ金具の例を示す扉形前面部材の要部横断平面図である。
【図４１】図４０の扉形前面部材の開く途中を示す要部の横断平面図である。
【図４２】遊技ユニット（図１１の分解斜視図に示されている図柄変動表示装置＋ケース部材＋画像表示体よりなる）側に配備された主制御基板及び本体側（外本体に配設された配線中継部材）に配備された主中継基板のブロック図である。
【図４３】遊技ユニット側に配備された主制御基板及び周辺制御基板のブロック図である。
【図４４】遊技ユニット側に配備された周辺制御基板及び本体側（外本体に配設された配線中継部材）に配備された周辺中継基板のブロック図である。
【図４５】配線中継部材に収納される主中継基板及び周辺中継基板の正面図である。
【図４６】主中継基板のコネクタＣＮ１、ＣＮ４、ＣＮ５、ＣＮ６及びＣＮ７のピン数及び各ピンによって伝達される信号を示す図である。
【図４７】主中継基板のコネクタＣＮ３のピン数及び各ピンによって伝達される信号を示す図である。
【図４８】主中継基板のコネクタＣＮ２のピン数及び各ピンによって伝達される信号を示す図である。
【図４９】主制御基板のコネクタＣＮ１のピン数及び各ピンによって伝達される信号を示す図である。
【図５０】周辺制御基板のコネクタＣＮ３のピン数及び各ピンによって伝達される信号と、周辺中継基板のコネクタＣＮ１のピン数及び各ピンによって伝達される信号と、周辺中継基板のコネクタＣＮ２並びにコネクタＣＮ３のピン数及び各ピンによって伝達される信号とを示す図である。
【図５１】スロットマシンの扉形前面部材の裏面図である。
【図５２】扉形前面部材の裏面に配設される扉基板収納ケースの斜視図である。
【図５３】扉装飾駆動基板の簡易的な回路図である。
【図５４】シリアルデータの出力シーケンスの一例を示すタイミングチャートである。
【符号の説明】
【０２１７】
１  スロットマシン
１０  隙間
１００  外本体
１００ａ  回転軸
１０１  底板
１０２  側板
１０２ａ  凸面部
１０２ｂ  カード部
１０３  天板
１０４  背板
１０４ａ  放熱口
１０４ｂ  コード引出口
１０５  仕切板
１０６  突段部
１０７  取付片
１０８  取付片
１０９  開口
１１０  メダル払出装置
１１０ａ  装置本体
１１０ｂ  ホッパ
１１０ｃ  放出口
１１０ｄ  オーバーフロー樋
１１１  メダル用補助収納箱
１１１ａ  メダル補助収納庫スイッチ
１１２  電源装置
１１２ａ  装置ケース
１１２ｂ  上面板
１１２ｃ  後面板
１１２ｄ  正面板
１１２ｅ  側面板
１１２ｆ  斜面板
１１２ｇ  通気孔
１１２ｈ  脚部
１１２ｉ  通気空間
１１２ｊ  段部
１１２ｋ  取付片
１１２ｍ  突部
１１２ｐ  透孔
１１２ｑ  木ねじ
１１２ｒ  底面板
１１２ｓ  電源基板
１１３  配線中継部材
１１４  ボス孔
１１５  レール部材
１１６  レール部材
１１７  ストッパー
１１８  取付具
１１９  本体側配線類
１２０  取付板
１２１  カバー体
１２２  主中継基板［コネクタ基板（大）］
１２３  周辺中継基板［コネクタ基板（小）］
１２４  コネクタ（主中継用コネクタ）
１２５  コネクタ（周辺中継用コネクタ）
１２６  開口
１２７  開口
１２８  支持筒
１２９  配線ダクト
１３０  配線止め
１３１  外部中継端子板
１３２  貫通孔
１３３  通気口
２００  扉形前面部材
２００ａ  通孔
２０１  メダル用受皿
２０１ａ  Ｌスピーカ
２０１ｂ  Ｒスピーカ
２０２  操作部
２０３  投入口
２０５  １ベットボタン
２０６  ＭＡＸベットボタン
２０７  メダルセレクタ
２０８  メダル返却ボタン
２０９  貯留メダル精算ボタン
２１０  始動レバー
２１１ａ  リール停止ボタン
２１１ｂ  リール停止ボタン
２１１ｃ  リール停止ボタン
２１２  メダル樋
２１３  返却樋
２１４  透視窓
２１４ａ  透明板
２１４ｂ  縁部材
２１４ｃ  透孔
２１４ｄ  通孔
２１５  錠装置
２１５ａ  ベース部材
２１５ｂ  支持片
２１５ｃ  打止め解除／エラー解除スイッチ
２１６  額フレーム
２１７  発光ユニット
２１７ａ  発光体
２１７ｂ  反射部材
２１７Ａ  左発光体（扉側装飾発光体）
２１７Ｂ  右発光体（扉側装飾発光体）
２１７Ｃ  上発光体（扉側装飾発光体）
２１８  固定部材
２１９  凹溝
２２０  扉開放検知スイッチ
２２１  低音スピーカ
２３０  意匠板
３００  図柄変動表示装置
３０１ａ  リール
３０１ｂ  リール
３０１ｃ  リール
３０２  装置ケース
３０３  駆動手段
３０３ａ  リールモータ
３０３ｂ  リールモータ
３０３ｃ  リールモータ
３０４  底部板
３０５  天部板
３０６  右側板
３０７  左側板
３０８  後部板
３０９  上斜板
３１０  下斜板
３１１  把手
３１２  リール主中継基板
３１３  ケーブル
３１４  ベルト通し
３１５  抜け止め部
３１６  下把手
３１７  リール周辺中継基板
４００  ケース部材
４０１  開口部
４０２  補強桟
４０２ａ  案内部
４０３  底板
４０４  側板
４０５  後面板
４０６  天板
４０７  補強部材
４０８  配線作業空間
４０９  主制御基板（遊技制御基板）
４１０  ボス
４１１  配線窓
４１２  凹段部
４１３  テーパ部
４１４  車輪
４１５  鍔
４１６  引掛部
４１７  空きスペース
４１８  仮止め棚
４１９  凹み
４２０  ヒンジ金具
４２０ａ  固定部材
４２０ｂ  回動部材
４２０ｃ  短リンク
４２０ｄ  長リンク
４２０ｅ  固定片
４２０ｆ  軸承片
４２０ｇ  重合領域
４２０ｈ  重合領域
４２０ｉ  ピン孔
４２０ｊ  ピン孔
４２０ｋ  ピン
４２１  ロック片
４２２  把手口
４２３  遊技ユニット側配線類
４２４  ハーネス
４２５  コネクタ（主制御系配線類接続用コネクタ）
４２６  ハーネス
４２７  コネクタ（周辺制御系配線類接続用コネクタ）
４２７ａ  遊孔
４２７ｂ  耳片
４２７ｃ  ビス
４２８  コネクタホルダー
４２９  ホルダー主体
４２９ａ  受筒
４３０  透孔
４３１  取着片
４３２  ボタン形パネルファスナー
４３３  ベンチ部
４３４  ベンチ側板
４３５  内向き爪片
４３６  指掛部
４３７  ケーブル溝
４３８  配線口
４３９  ケーブル止め
４４０  案内レール
４４１  機能分離中継端子板
４４２  係止孔
４４３  天窓部
４４４  補強帯
４５０  遊技状態表示基板
５００  画像表示体
５００ａ  液晶インバータ基板
５００ｂ  １５．９液晶モジュール
５００ｃ  ファンモータ
５０１  枠部材
５０２  照明装置
５０３ａ  リール照明ＬＥＤ基板（上）
５０３ｂ  リール照明ＬＥＤ基板（下）
５０４  発光ダイオード
５０５  透明性蓋板
５０６  チューブ枠
５０７  透明性カバー
５０８  受部
５０９  係合部
６００  上桟
６０１  固定部材
６０２  工具
６０３  ビス
７００  連結具
７０１  固定鞘部材
７０２  ロッド
７０３  止め軸
７０３ａ  スプリング
７０４  ストッパ
７０５  溝
７０６  摘み片
７５０  周辺制御基板
８００  扉基板収納ケース
８００ａ  ケース本体
８００ｂ  爪部
８０１  扉装飾駆動基板収納部分
８０２  主扉中継基板収納部分
８０３  収納ケースカバー
８５０  主扉中継基板
８５１  メダルセレクタ用接続コネクタ
８５２  貯留メダル精算ボタン用接続コネクタ
８５３  ＭＡＸベットボタン用接続コネクタ
８５４  １ベットボタン用接続コネクタ
８５５  始動レバー用接続コネクタ
８５６  リール停止ボタン用接続コネクタ
８５７  打止め解除／エラー解除スイッチ用接続コネクタ
８５８  対本体接続コネクタ部材［ＣＮ１（３０ピン）］
８５９  対本体接続コネクタ部材［ＣＮ１（２０ピン）］
８６０  扉装飾駆動基板
８６０ａ  セレクト回路
８６０ｂ  スイッチ回路
８６０ｃ  駆動回路
８６１  トップ装飾基板用接続コネクタ
８６２  左上装飾基板用接続コネクタ
８６３  左下装飾基板用接続コネクタ
８６４  右上装飾基板用接続コネクタ
８６５  右下装飾基板用接続コネクタ
８６６  下パネル照明点灯基板用接続コネクタ
８６７  Ｌスピーカ用接続コネクタ
８６８  Ｒスピーカ用接続コネクタ
８７１  トップ装飾基板
８７２  左上装飾基板
８７３  左下装飾基板
８７４  右上装飾基板
８７５  右下装飾基板
８７６  下パネル照明点灯基板
８７７  下パネル照明
９００  対本体接続用ハーネス付きコネクタ
９１０  対本体接続用ハーネス付きコネクタ
【図１】
0005441320.tif 000002
【図２】
0005441320.tif 000003
【図３】
0005441320.tif 000004
【図４】
0005441320.tif 000005
【図５】
0005441320.tif 000006
【図６】
0005441320.tif 000007
【図７】
0005441320.tif 000008
【図８】
0005441320.tif 000009
【図９】
0005441320.tif 000010
【図１０】
0005441320.tif 000011
【図１１】
0005441320.tif 000012
【図１２】
0005441320.tif 000013
【図１３】
0005441320.tif 000014
【図１４】
0005441320.tif 000015
【図１５】
0005441320.tif 000016
【図１６−１】
0005441320.tif 000017
【図１６−２】
0005441320.tif 000018
【図１７】
0005441320.tif 000019
【図１８】
0005441320.tif 000020
【図１９】
0005441320.tif 000021
【図２０】
0005441320.tif 000022
【図２１】
0005441320.tif 000023
【図２２】
0005441320.tif 000024
【図２３】
0005441320.tif 000025
【図２４】
0005441320.tif 000026
【図２５】
0005441320.tif 000027
【図２６】
0005441320.tif 000028
【図２７】
0005441320.tif 000029
【図２８】
0005441320.tif 000030
【図２９】
0005441320.tif 000031
【図３０】
0005441320.tif 000032
【図３１】
0005441320.tif 000033
【図３２】
0005441320.tif 000034
【図３３】
0005441320.tif 000035
【図３４】
0005441320.tif 000036
【図３５】
0005441320.tif 000037
【図３６】
0005441320.tif 000038
【図３７】
0005441320.tif 000039
【図３８】
0005441320.tif 000040
【図３９】
0005441320.tif 000041
【図４０】
0005441320.tif 000042
【図４１】
0005441320.tif 000043
【図４２】
0005441320.tif 000044
【図４３】
0005441320.tif 000045
【図４４】
0005441320.tif 000046
【図４５】
0005441320.tif 000047
【図４６】
0005441320.tif 000048
【図４７】
0005441320.tif 000049
【図４８】
0005441320.tif 000050
【図４９】
0005441320.tif 000051
【図５０】
0005441320.tif 000052
【図５１】
0005441320.tif 000053
【図５２】
0005441320.tif 000054
【図５３】
0005441320.tif 000055
【図５４】
0005441320.tif 000056